(57)【要約】【課題】待機起動処理中にユーザが何らかの操作を行った場合でも、迅速に処理を実行する。【解決手段】主制御部（２１）は、電力供給が開始されたとき、自装置を起動して所定処理を実行した後、自装置をシャットダウン状態にする第１の待機起動処理を実行し、第１の待機起動処理の実行中に、自装置を、情報機器部（１２）から上記実行指示を受信することなく、上記対応処理を実行する状態とする処理実行判定部（４１）を備える。【選択図】図１
2015191575.tif 000002
【特許請求の範囲】
【請求項１】
ユーザによる入力操作に応じた対応処理を実行するための実行指示を受信して上記対応処理を実行する第１の処理装置と、上記実行指示を上記第１の処理装置に送信する第２の処理装置とを備える電子機器であって、
上記第１の処理装置は、電力供給が開始されたとき、自装置を起動して所定処理を実行した後、自装置をシャットダウン状態にする第１の待機起動処理を実行し、
上記第２の処理装置は、電力供給が開始されたとき、自装置を起動して所定処理を実行した後、自装置をシャットダウン状態またはスリープ状態にする第２の待機起動処理を実行し、
さらに、上記第１の処理装置は、
上記第１の待機起動処理の実行中に、自装置を、上記第２の処理装置から上記実行指示を受信することなく、上記対応処理を実行する状態とする第１の状態制御手段を備えることを特徴とする電子機器。
【請求項２】
上記第１の処理装置および上記第２の処理装置の起動を指示するユーザの入力操作を受けたとき、上記第１の処理装置および上記第２の処理装置に起動処理を実行させるための起動情報を、上記第１の処理装置および上記第２の処理装置に送信する第３の処理装置を備え、
上記第１の処理装置は、上記第１の状態制御手段によって、自装置が、上記第２の処理装置から上記実行指示を受信することなく、上記対応処理を実行する状態となっている場合、上記起動情報を受信したとき、上記起動処理を上記対応処理として実行することを特徴とする請求項１に記載の電子機器。
【請求項３】
上記第２の処理装置は、
自装置を上記スリープ状態とする場合、上記第１の処理装置を、上記第２の処理装置から上記実行指示を受信して、上記対応処理を実行する状態とするための状態変更情報を、上記第１の処理装置に送信する第２の状態制御手段をさらに備えることを特徴とする請求項２に記載の電子機器。
【請求項４】
上記第１の処理装置は、
上記起動情報を受信したとき、自装置が、上記第２の処理装置から上記実行指示を受信することなく、上記対応処理を実行する状態であるか否かを判定する判定手段をさらに備えることを特徴とする請求項３に記載の電子機器。
【請求項５】
上記第１の処理装置は、
自装置に電力が供給されている状態で、かつ、上記第２の処理装置が上記第２の待機起動処理におけるシャットダウン処理を開始後に、上記起動情報を受信したとき、上記第１の処理装置および上記第２の処理装置に対する電力供給を停止することを示すシャットダウン通知を、ユーザに対して行う通知手段と、
上記シャットダウン通知を行った後、自装置に対する電力供給を停止させる電力供給停止手段と、をさらに備えることを特徴とする請求項２から４のいずれか１項に記載の電子機器。
【発明の詳細な説明】
【技術分野】
【０００１】
本発明は、ユーザによる入力操作に基づいて処理を実行する電子機器に関する。
【背景技術】
【０００２】
近年、内部に複数の処理装置を備える電子機器が増加している。このような電子機器の中には、特定の処理を実行するための入力操作を受け付けると、複数の処理装置のうちの１つの処理装置が、他の処理装置に対して当該処理を実行するための実行指示を送信する、いわゆる親機となり、他の処理装置（いわゆる子機）は、親機からの実行指示を受信して処理を実行するものがある。
【０００３】
このような電子機器の中には、外部から電力が供給されたとき（例えばコンセントに電子機器のプラグを刺したとき）に、ユーザに通知することなく処理装置を起動して所定処理（例えば、時刻を設定する処理や自装置の初期化処理）を実行した後、起動した処理装置をシャットダウンまたはスリープ状態にするという処理（待機起動処理）を実行するものがある。
【先行技術文献】
【特許文献】
【０００４】
【特許文献１】特開２０１０−３８９９８号公報（２０１０年２月１８日公開）
【発明の概要】
【発明が解決しようとする課題】
【０００５】
上述した待機起動処理は、通常、ユーザに通知されずに行われるため、ユーザは電子機器が現在待機起動処理を実行しているのか否かを知ることはできない。このため、ユーザは、コンセントに電子機器のプラグを刺すなどの、電子機器に外部から電力を供給する操作を行った後、直ちに何らかの処理を電子機器に実行させるための操作を行う場合がある。
【０００６】
しかしながら、待機起動処理中においては、親機は、当該操作に基づいて処理を実行することができず、また、子機に対して実行指示を送信することができない。そのため、ユーザが何らかの操作を行ったとしても、電子機器が当該操作に対応する処理を実行できないという問題がある。
【０００７】
この問題の対策として、特許文献１に記載の技術がある。特許文献１には、機器本体への電源投入時または省エネ復帰時に、自己の初期化処理を行う機器において、初期化完了を検知する前にキー入力情報の入力を検知すると、そのキー入力情報をメモリに退避させ、初期化完了を検知した後に、メモリ内のキー入力情報をシステム制御部に送信する技術が開示されている。
【０００８】
しかしながら、特許文献１の技術では、キー入力情報がシステム制御部に送信されるのは、初期化処理が完了した後であるため、キー入力情報を入力してから、当該情報に基づく処理が実行されるまでに時間がかかるという問題がある。
【０００９】
一般的に、待機起動処理は２０秒から３０秒程度かかる。そのため、ユーザが電子機器に外部から電力を供給する操作を行った後、直ちに何らかの操作を行ったとしても、２０秒から３０秒経過した後に、電子機器が当該操作に対応する処理を実行することとなる。
【００１０】
上記の問題は、特に電子機器を起動するときに顕著となる。つまり、ユーザが電子機器に外部から電力を供給する操作を行った後、直ちに起動処理を電子機器に実行させるための操作を行った場合、電子機器が起動されない、または、電子機器は待機起動処理が実行されてから（起動操作を行った後２０秒から３０秒程度経過してから）起動されることとなるため、ユーザが不便と感じる。
【００１１】
本発明は、上記の問題点に鑑みてなされたものであり、その目的は、待機起動処理中にユーザが何らかの操作を行った場合でも、迅速に処理を実行することができる電子機器を実現することにある。
【課題を解決するための手段】
【００１２】
上記の課題を解決するために、本発明の一態様に係る電子機器は、ユーザによる入力操作に応じた対応処理を実行するための実行指示を受信して上記対応処理を実行する第１の処理装置と、上記実行指示を上記第１の処理装置に送信する第２の処理装置とを備える電子機器であって、上記第１の処理装置は、電力供給が開始されたとき、自装置を起動して所定処理を実行した後、自装置をシャットダウン状態にする第１の待機起動処理を実行し、上記第２の処理装置は、電力供給が開始されたとき、自装置を起動して所定処理を実行した後、自装置をシャットダウン状態またはスリープ状態にする第２の待機起動処理を実行し、さらに、上記第１の処理装置は、上記第１の待機起動処理の実行中に、自装置を、上記第２の処理装置から上記実行指示を受信することなく、上記対応処理を実行する状態とする第１の状態制御手段を備える。
【００１３】
また、上記の課題を解決するために、本発明の一態様に係る電子機器の制御方法は、ユーザによる入力操作に応じた対応処理を実行するための実行指示を受信して上記対応処理を実行する第１の処理装置と、上記実行指示を上記第１の処理装置に送信する第２の処理装置とを備える電子機器の制御方法であって、上記第１の処理装置は、電力供給が開始されたとき、自装置を起動して所定処理を実行した後、自装置をシャットダウン状態にする第１の待機起動処理ステップと、上記第２の処理装置は、電力供給が開始されたとき、自装置を起動して所定処理を実行した後、自装置をシャットダウン状態またはスリープ状態にする第２の待機起動処理ステップと、を含み、さらに、上記第１の処理装置は、上記第１の待機起動処理ステップ中に、自装置を、上記第２の処理装置から上記実行指示を受信することなく、上記対応処理を実行する状態とする第１の状態制御ステップを含む。
【発明の効果】
【００１４】
本発明の一態様によれば、待機起動処理中にユーザが何らかの操作を行った場合でも、迅速に処理を実行することができるという効果を奏する。
【図面の簡単な説明】
【００１５】
【図１】本発明の実施形態１〜６に係るテレビの要部構成の一例を示すブロック図である。
【図２】図１に示すテレビのハードウェア構成の一例を示す図である。
【図３】図１に示すテレビにおける、非通電の状態から起動状態までの画面遷移図である。
【図４】図１に示すテレビの主制御部における、待機起動処理の流れの一例を示すフローチャートである。
【図５】図１に示すテレビの情報機器部における、待機起動処理の流れの一例を示すフローチャートである。
【図６】図１に示すテレビの情報機器部がシャットダウン処理を行う場合における、待機起動処理の流れの一例を示すシーケンス図である。
【図７】図１に示すテレビの主制御部における、待機起動処理中の起動処理の流れの一例である、情報機器部がシャットダウン処理を行う場合のフローチャートである。
【図８】図１に示すテレビの情報機器部における、待機起動処理中の起動処理の流れの一例である、情報機器部がシャットダウン処理を行う場合のフローチャートである。
【図９】図１に示すテレビの情報機器部がシャットダウン処理を行う場合における、待機起動処理中の起動処理の流れの一例を示すシーケンス図である。
【図１０】図１に示すテレビの情報機器部がシャットダウン処理を行う場合における、待機起動処理中の起動処理の流れの別例を示すシーケンス図である。
【図１１】図１に示すテレビの情報機器部がシャットダウン処理を行う場合における、待機起動処理中の起動処理の流れのさらなる別例を示すシーケンス図である。
【図１２】図１に示すテレビにおける、主制御部の待機起動処理の流れの一例を示すフローチャートであり、図４の結合子Ａ以降の処理の流れの一例を示すフローチャートである。
【図１３】図１に示すテレビの情報機器部における、待機起動処理の流れの一例を示すフローチャートであり、図５の結合子Ｂ以降の処理の流れの一例を示すフローチャートである。
【図１４】図１に示すテレビの情報機器部がスリープ処理を行う場合における、待機起動処理の流れの一例を示すシーケンス図である。
【図１５】図１に示すテレビの主制御部における、待機起動処理中の起動処理の流れの一例であり、情報機器部がスリープ処理を行う場合のフローチャートである。
【図１６】図１に示すテレビの情報機器部における、待機起動処理中の起動処理の流れの一例であり、情報機器部がスリープ処理を行う場合のフローチャートである。
【図１７】図１に示すテレビの情報機器部がスリープ処理を行う場合における、待機起動処理中の起動処理の流れの一例を示すシーケンス図である。
【発明を実施するための形態】
【００１６】
〔実施形態の概要〕
まず、以下に説明する実施形態１〜６の概要について説明する。複数の処理装置を備える電子機器において、ある処理装置（いわゆる親機）から別の処理装置（いわゆる子機）に対して、ユーザによる入力操作に応じた処理（対応処理）を実行させるための実行指示を送信することで、子機が処理を実行する構成の電子機器がある。
【００１７】
このような電子機器の中には、外部から電力が供給されたとき（例えばコンセントに電子機器のプラグを刺したとき）に、ユーザに通知することなく処理装置を起動して所定処理（例えば、時刻を設定する処理や自装置の初期化処理）を実行した後、起動した処理装置をシャットダウンまたはスリープ状態にするという処理を実行するものがある（以降、この処理を待機起動処理と称する）。
【００１８】
この待機起動処理を行っていることはユーザに通知されないため、ユーザはプラグを刺してすぐに電子機器に対して何らかの操作を行う可能性がある。しかしながら、待機起動処理中においては、親機はユーザの操作に基づく処理を実行することができず、また、親機は子機に対して実行指示を送信することができないため、ユーザが電子機器に対して何らかの操作を行ったとしても、電子機器は処理を実行できない。この問題の対策としては、操作が行われたことを電子機器が記憶しておき、待機起動処理が終了した後で、親機に操作が行われたことを通知することが考えられるが、通常、待機起動処理は２０秒から３０秒程度かかるため、待機起動操作が行われた後に操作に対応する処理を行ったとしても、ユーザの操作に迅速に応答して、処理を実行しているとは言い難い。
【００１９】
そこで、実施形態１〜６のテレビ１の子機は、待機起動処理の実行中に、自装置を、親機から実行指示を受信することなく、対応処理を実行する状態とする。
【００２０】
これにより、待機起動処理を実行中にユーザが何らかの操作を行った場合でも、電子機器は迅速に処理を実行することができる。
【００２１】
以下、実施形態１〜６を詳細に説明する。なお、以下の実施形態１〜６においては、上述した子機として、テレビ機能（テレビジョン放送信号を受信して処理する機能など）を有する主制御部を備え、親機として、拡張機能（パソコン、インターネット、通信などの機能）を有する情報機器部を備えるテレビ１について説明する。しかしながら、本発明は上記のテレビ１に限定されず、ユーザによる入力操作に基づく処理を実行するための実行指示を受信して処理を実行する第１の処理装置と、上記実行指示を上記第１の処理装置に送信する第２の処理装置とを備え、第１の処理装置および第２の処理装置が待機起動処理を実行可能である電子機器であれば、本発明を適用可能である。
【００２２】
〔実施形態１〕
本発明の一実施形態について、図１〜図６に基づいて説明すれば以下のとおりである。
【００２３】
（テレビ１のハードウェア構成）
まず、図２を参照して、テレビ１（電子機器）のハードウェア構成について説明する。図２は、テレビ１のハードウェア構成を示すブロック図である。なお、図２における細線の矢印は、情報の流れを示し、太線の矢印は電力供給の流れを示すものである。
【００２４】
図２に示すように、テレビ１は、テレビ機能部１１、情報機器部１２（第２の処理装置）、入力部１３、電源部１４、チューナ部１５、表示部１６、タッチ入力部１７、および接続部１８を備えている。なお、テレビ機能部１１は、主制御部２１（第１の処理装置）、副制御部２２（第３の処理装置）、および電力供給部２３を備えている。また、表示部１６およびタッチ入力部１７は、一体となってタッチパネルを構成している。
【００２５】
タッチ入力部１７が検出したタッチ操作に係る入力信号は、情報機器部１２によって取得され、情報機器部１２において、その入力信号に応じた処理が実行される。その結果、テレビ機能部１１において、表示部１６に表示される映像の変更、スピーカ（不図示）から出力される音声の変更などの処理を実行する必要がある場合には、情報機器部１２が、主制御部２１に対して指示（実行指示）を送信する。例えば、主制御部２１は、情報機器部１２からの実行指示に従って、情報機器部１２が生成した画面を表示部１６に出力する。なお、主制御部２１は、テレビジョン放送信号を処理して得られた映像信号を含むテレビ画面と、情報機器部１２が生成した画面とを合成し、両画面を混在させて表示部１６に出力することも可能である。
【００２６】
すなわち、本実施形態では、テレビ機能部１１の主制御部２１は、情報機器部１２からの実行指示によって制御される構成である。
【００２７】
主制御部２１は、テレビ１のテレビ機能を実現するものである。具体的には、チューナ部１５を制御することでテレビジョン放送信号を受信して、表示部１６に出力するための映像信号およびスピーカ（不図示）に出力するための音声信号を処理する。
【００２８】
主制御部２１は、テレビ機能用のＯＳプログラムなどの各種プログラムを実行するためのＣＰＵと、記憶部とを含んでおり、さらに、上述の信号処理に必要な各種回路を含んでいる。
【００２９】
副制御部２２は、入力部１３からの入力信号を特定し、特定した入力信号に基づいて、主制御部２１および情報機器部１２が所定処理を実行するための実行情報を生成するものである。副制御部２２は、生成した実行情報を主制御部２１および情報機器部１２に送信する。
【００３０】
また、副制御部２２は、主制御部２１および情報機器部１２に対する電力供給を制御する。具体的には、入力部１３からテレビ１を起動するための入力信号を取得すると、副制御部２２は、電力供給部２３に指示して、主制御部２１および情報機器部１２に電力を供給させる。また、入力部１３からテレビ１を終了するための入力信号を取得すると、副制御部２２は、電力供給部２３に指示して、主制御部２１および情報機器部１２へ電力供給を停止させる。
【００３１】
なお、本実施形態では、副制御部２２は、テレビ機能部１１に含まれている、すなわち、主制御部２１と同じ基板上に実装されているが、この例に限定されるものではなく、例えば、主制御部２１と副制御部２２とが別の基板に実装されていてもよい。また、副制御部２２は、主制御部２１内に含まれるものであってもよい。ただし、主制御部２１内に副制御部２２が含まれる場合は、電源部１４から電力を情報機器部１２に供給するために、主制御部２１は電源部１４から電力が供給されている場合は常に起動していなければならない。よって、消費電力を低減させるためには、主制御部２１と副制御部２２とは別体であることが好ましい。
【００３２】
電力供給部２３は、電源部１４から電力を取得すると、取得した電力を副制御部２２に供給する。また、電力供給部２３は、副制御部２２からの指示を受けて、電源部１４から取得した電力を主制御部２１および情報機器部１２に供給する。また、電力供給部２３は、副制御部２２からの指示を受けて、主制御部２１および情報機器部１２への電力供給を停止する。
【００３３】
なお、本実施形態では、電力供給部２３は、テレビ機能部１１に含まれている、すなわち、主制御部２１および副制御部２２と同じ基板上に実装されているが、この例に限定されるものではなく、例えば、電力供給部２３は、主制御部２１および副制御部２２と別の基板に実装されていてもよい。
【００３４】
情報機器部１２は、テレビ１の拡張機能を実現するものであり、例えば、拡張機能用のＯＳプログラム、および、アプリケーションプログラムなどの各種プログラムを実行するためのＣＰＵと、記憶部とを含んでいる。さらに、情報機器部１２は、ＬＡＮ（Local Area Network）などのネットワークに無線または有線で接続し、インターネットを介して外部装置と通信する通信部を含む。
【００３５】
入力部１３は、ユーザが外部機器（リモコン）を介して入力した、テレビ１に対する指示を受信するためのものであり、いわゆるリモコン受光部と、テレビ１の筐体に備えられた電源ボタンなどの物理キーを含んでいる。
【００３６】
電源部１４は、電気配線から電力を取得するためにコンセントに差し込むものであり、いわゆるプラグである。なお、電源部１４は、プラグをコンセントに差し込んだ状態において、電気配線からテレビ１への電力の供給と停止とを切り替えるためのスイッチを含んでいてもよい。
【００３７】
チューナ部１５は、選局を実施し、デジタル放送波から予め指定されたチャンネルのストリームを抽出する。チューナ部１５は、主制御部２１と１つの基板上に実装されてもよいし、主制御部２１とは別の基板に実装されて、主制御部２１との間で無線通信を行う構成でもよい。
【００３８】
表示部１６は、情報機器部１２が処理した映像信号、主制御部２１が処理した映像信号、または、その両方を表示するものである。例えば、表示部１６は、ＬＣＤ（液晶ディスプレイ）などの表示装置で実現される。
【００３９】
タッチ入力部１７は、ユーザがテレビ１に対して指示を入力するためのものである。
タッチ入力部１７は、指示体（指またはペンなど）の接触（接近も含む）を受け付けるタッチ面と、指示体とタッチ面との間の接触の有無、および、接触位置を検知するためのタッチセンサとで構成されている。タッチセンサは、指示体とタッチ面との接触の有無を検知できれば、どのようなセンサで実現されてもよい。例えば、タッチセンサは圧力センサ、静電容量センサ、光センサなどで実現される。
【００４０】
接続部１８は、テレビ機能部１１と情報機器部１２とを接続するためのものである。すなわち、テレビ機能部１１と情報機器部１２とは着脱可能に構成されている。例えば、ユーザはテレビ機能部１１を備えるテレビ１の筐体に情報機器部１２を接続する。テレビ機能部１１と情報機器部１２とを接続部１８を介して接続することにより、主制御部２１と情報機器部１２との間の通信が可能となる。また、副制御部２２と情報機器部１２との間の通信、および、副制御部２２から情報機器部１２への電力供給が可能となる。
【００４１】
上述したとおり、本実施形態に係るテレビ１は、情報機器部１２と主制御部２１および副制御部２２とが通信可能に接続されている。そして、情報機器部１２と主制御部２１および副制御部２２との間で、様々な信号が必要に応じて送受信される。この信号はＣＰＵ間通信によって行われる。該ＣＰＵ間通信は、以下の物には限定されないが、例えば、ＴＣＰ／ＩＰ（Transmission Control Protocol/Internet Protocol）、ＣＥＣ（Consumer Electronics Control）、ＵＡＲＴ（Universal Asynchronous Receiver Transmitter）、ＵＳＢ（Universal Serial Bus）などで実現されてもよい。
【００４２】
また、情報機器部１２によって処理された映像信号および音声信号のうち少なくとも１つは、接続部１８およびＨＤＭＩ（登録商標）（High Definition Multimedia Interface）を介して主制御部２１に送信される。すなわち、主制御部２１は、ＨＤＭＩを介して情報機器部１２から送信された映像信号および音声信号のうち少なくとも１つを出力する。なお、出力形式は上記の例に限定されない。例えば、主制御部２１は、映像信号および音声信号のうち少なくとも１つを、ＬＶＤＳ（Low Voltage Differential Signaling）の方式で出力してもよいし、音声信号をＳ／ＰＤＩＦ（Sony/Philips digital interface）の方式で出力してもよい。
【００４３】
さらに、電源部１４から供給された電力は、副制御部２２から接続部１８を介して情報機器部１２に送信される。
【００４４】
（テレビ１の要部構成）
次に、図１を参照して、テレビ１の要部構成について説明する。図１は、テレビ１の要部構成の一例を示すブロック図である。なお、上述したテレビ１のハードウェア構成で説明した部材については、ここでの説明を省略する。また、図２と同様に、図１における細線の矢印は、情報の流れを示し、太線の矢印は電力供給の流れを示すものである。
【００４５】
（副制御部２２）
副制御部２２は、実行情報生成部３１、および通電制御部３２を含む。
【００４６】
実行情報生成部３１は、主制御部２１および情報機器部１２が所定処理を実行するための実行情報を生成するものである。具体的には、実行情報生成部３１は、テレビ１を起動するための起動操作を特定すると、通電制御部３２に指示して、電力供給部２３が主制御部２１および情報機器部１２に電力を供給しているか否かを確認する。電力を供給していない場合、実行情報生成部３１は、通電制御部３２に、主制御部２１および情報機器部１２に電力の供給（通電）を開始するよう指示する（通電指示を供給する）。そして、主制御部２１および情報機器部１２と、副制御部２２との間の通信が確立して、主制御部２１および情報機器部１２のうち少なくとも１つから起動モード取得要求を受信すると、起動処理を実行するための起動モードを特定して、当該起動モードを処理実行判定部４１および処理実行判定部５２に通知する。
【００４７】
一方、電力を供給している場合、実行情報生成部３１は、主制御部２１が再起動処理を実行するための実行情報としてキー情報の一種である起動キー（起動情報）を生成して、処理実行判定部４１および処理実行判定部５２に供給する。
【００４８】
なお、キー情報は、テレビ１が起動している場合にユーザがリモコンまたは筐体の電源ボタンを介して行った操作を主制御部２１および情報機器部１２のうち少なくとも１つに実行させるための実行情報である。また、キー情報は、リモコンまたは筐体の電源ボタンを介して行った操作に基づく処理を実行させるものであれば、終了キーに限定されるものではない。例えば、ユーザによるリモコンのチャンネルボタンを押下する操作に基づくチャンネル変更処理を実行させるためのチャンネル変更キーや、音量ボタンを押下する操作に基づく音量変更処理を実行させるための音量変更キーなどがある。
【００４９】
また、実行情報生成部３１は、電源部１４および電力供給部２３を介して外部からの電力が副制御部２２に供給されると、通電制御部３２に、主制御部２１および情報機器部１２に通電指示を供給する。そして、主制御部２１および情報機器部１２と、副制御部２２との間の通信が確立して、主制御部２１および情報機器部１２のうち少なくとも１つから起動モード取得要求を受信すると、起動処理を実行するための起動モードを特定して、当該起動モードを処理実行判定部４１および処理実行判定部５２に通知する。
【００５０】
なお、起動モードは、通常の起動操作（例えば、リモコンの電源キーまたは筐体の電源ボタンを押下することによる起動操作）が行われた場合の通常起動モード、および、外部からの電力が副制御部２２に供給された場合の待機起動モードがある。つまり、副制御部２２は、主制御部２１および情報機器部１２に通電開始する直前において、副制御部２２に電力が供給されていたか否かに応じて、通常起動モードを通知するか、または、待機起動モードを通知するかを決定する。なお、起動モード通知はこの例に限定されるものではない。例えば、主制御部２１に電力が供給され、かつ、情報機器部１２に対する電力供給が停止しているときに起動操作が行われた場合に、情報機器部１２に終了中起動モードを通知してもよい。
【００５１】
また、実行情報生成部３１は、主制御部２１からキー情報処理可能通知（起動可能情報）を受信する前に、ユーザの入力操作（例えば、リモコンの電源ボタンを押下する操作）を特定した場合、当該入力操作に基づいて生成された実行情報（例えば、起動キー）を、キー情報処理可能通知を受信するまで保持しておく。なお、キー情報処理可能通知とは、主制御部２１が実行情報（キー情報）に基づいて処理を実行可能となったことを示す情報である。
【００５２】
通電制御部３２は主制御部２１および情報機器部１２への電力供給を制御するものである。具体的には、通電制御部３２は、実行情報生成部３１からの通電指示を受けると、電力供給部２３に電力供給指示を送信する。ここで、電力供給指示とは、主制御部２１および情報機器部１２へ電力を供給するための指示である。また、通電制御部３２は、電力制御部４３および電力制御部５１から電力供給の停止を指示する通電断要求を受信すると、電力供給部２３に供給停止指示を送信する。ここで、供給停止指示とは、主制御部２１および情報機器部１２への電力供給を停止するための指示である。
【００５３】
（主制御部２１）
主制御部２１は、処理実行判定部４１（第１の状態制御手段、起動可能通知手段、判定手段）、処理実行部４２（通知手段）、電力制御部４３（電力供給停止手段）、および記憶部４４を含む。
【００５４】
処理実行判定部４１は、待機起動処理を実行する場合、主制御部２１を、実行指示を受信することなく処理を実行する状態とするものである。具体的には、処理実行判定部４１は、実行情報生成部３１から待機起動モード通知を受信すると、情報機器部１２との通信が確立したことを確認した上で、情報機器部１２に対して操作主体変更通知を送信する。なお、確認方法は特に限定されるものではないが、例えば、主制御部２１と情報機器部１２との間を、ＧＰＩＯ（General Purpose Input/Output）を介して流れる電流を検知することで、通信が確立したことを確認してもよい。
【００５５】
そして、情報機器部１２から操作主体委譲通知を受信すると、記憶部４４に記憶されている第１の操作主体設定の有効と無効とを書き換える。ここで、主制御部２１は、通常の場合は実行指示を受信してから処理を実行するため、起動直後においては、処理実行判定部４１は第１の操作主体設定を無効にする。つまり、処理実行判定部４１は、操作主体委譲通知を受信すると、記憶部４４に記憶されている第１の操作主体設定を無効から有効に書き換える。
【００５６】
なお、操作主体変更通知とは、主制御部２１が第１の操作主体設定を有効にすることを情報機器部１２に通知するための情報である。また、操作主体委譲通知とは、情報機器部１２が、後述する第２の操作主体設定を無効にしたことを主制御部２１に通知するための情報である。
【００５７】
また、処理実行判定部４１は、情報機器部１２から操作主体切替要求を受信したとき、第１の操作主体設定を有効から無効に書き換える。なお、操作主体切替要求とは、情報機器部１２が、主制御部２１に第１の操作主体設定を書き換えさせるための情報である。さらに、処理実行判定部４１は、情報機器部１２から実行指示処理可能通知（確認結果情報）を受信したとき、第１の操作主体設定を有効から無効に書き換える。なお、実行指示処理可能通知とは、情報機器部１２が、主制御部２１から送信された実行指示を受けて、当該実行指示が示す処理を実行可能であることを通知するための情報である。また、実行指示処理可能通知は、当該通知を送信した後は、情報機器部１２から主制御部２１に対して実行指示を送信可能であることを通知するための情報を含んでいてもよい。
【００５８】
ここで、上記第１の操作主体設定について詳細に説明する。第１の操作主体設定とは、主制御部２１が実行情報に基づいて処理を実行するか否かを、処理実行判定部４１が特定するためのものである。第１の操作主体設定が有効であれば、主制御部２１（処理実行部４２）は、副制御部２２から供給された実行情報に基づいて処理を実行する。換言すれば、主制御部２１は情報機器部１２からの指示を受けることなく、処理を実行する。一方、操作主体設定が無効であれば、主制御部２１（処理実行部４２）は、情報機器部１２（処理実行部５３）から供給される実行指示を受信してから処理を実行する。つまり、処理実行判定部４１は、操作主体設定が有効であるか無効であるかを示すフラグを管理しており、当該フラグは記憶部４４のメモリに書き込まれる。なお、当該メモリは揮発性メモリであり、主制御部２１への通電が停止され、再び通電が開始された（起動された）場合、通電が停止された時点で第１の操作主体設定が有効であったとしても、起動後の第１の操作主体設定は無効となる。
【００５９】
また、処理実行判定部４１は、第１の操作主体設定が有効であるか否かを判定する。具体的には、処理実行判定部４１は、実行情報生成部３１から実行情報として起動キーを受信すると、記憶部４４を確認して、第１の操作主体設定が有効であるか、または、無効であるかを確認する。そして、処理実行判定部４１は、操作主体設定が有効である場合、実行情報に基づく処理を実行するように処理実行部４２に指示する（処理実行指示を処理実行部４２に供給する）。一方、操作主体設定が無効である場合、処理実行判定部４１は、情報機器部１２からの指示を受信して処理を実行するように処理実行部４２に指示する（待機指示を処理実行部４２に供給する）。
【００６０】
さらに、処理実行判定部４１は、電力供給部２３から電力を供給されることで起動処理が実行され、動作可能となると、副制御部２２との通信が確立したことを確認して、実行情報生成部３１に起動モード取得要求を送信する。そして、実行情報生成部３１から起動モード通知を受信すると、処理実行部４２に主制御部２１を起動するための処理の実行を指示する。具体的には、処理実行判定部４１は、通常起動モード通知を受信すると、通常起動処理の実行を処理実行部４２に指示する。また、待機起動モード通知を受信すると、待機起動処理の実行を処理実行部４２に指示する。
【００６１】
処理実行部４２は、主制御部２１において処理を実行するものである。具体的には、処理実行部４２は、処理実行判定部４１からの指示に基づいて処理を実行する。具体的には、処理実行指示を供給されると、処理実行部４２は実行情報に基づく処理（例えば、待機起動処理実行中における起動処理）を実行する。また、待機指示を供給されると、処理実行部４２は、情報機器部１２からの実行指示があったとき、実行指示に基づく処理を実行する。なお、処理実行部４２は、後述するシャットダウン処理を実行した場合、当該シャットダウン処理の最後に、主制御部２１に対する電力供給を停止させるために、電力停止指示を電力制御部４３に供給する。
【００６２】
ここで、主制御部２１の起動処理について説明する。処理実行部４２は、処理実行判定部４１から起動処理の処理実行指示を供給されたとき、または、情報機器部１２から起動処理の実行指示を受信したとき、起動処理を実行する。具体的には処理実行部４２は、バックライト（不図示）を起動する。
【００６３】
なお、処理実行部４２は、バックライトの起動に合わせて、テレビ１が起動しているか否かをユーザに報知するための報知部（不図示）を、テレビ１が起動していることを報知する状態としてもよい。報知部は、例えばＬＥＤであり、テレビ１が起動している、すなわちバックライトが起動することにより、表示部１６に画面を表示可能な状態となっている場合は緑色に発光し、テレビ１が起動していない、すなわちバックライトが停止しており、表示部１６に画面を表示不可能な状態である場合は赤色に発光する。なお、テレビ１に対して電源部１４から電力が供給されていない場合は、報知部は発光しない。
【００６４】
また、処理実行部４２は、バックライトの起動に合わせて、表示部１６に画面を表示させてもよい。表示部１６に表示させる画面は、例えば、テレビ１が起動処理を実行中であることを示す起動中画面であってもよい。なお、起動中画面は、記憶部４４から読み出してもよいし、情報機器部１２から受信してもよい。また、起動中画面は、テレビ１が起動処理を実行していることをユーザに通知することができれば、その内容は特に限定されるものではない。
【００６５】
また、表示する画面は起動中画面に限定されず、例えば、テレビジョン放送信号を処理して得られた映像信号を含むテレビ画面を全画面表示し、情報機器部１２が生成した画面を表示可能となった時点で、両画面を混在して表示させてもよい。
【００６６】
さらに、処理実行部４２は、処理実行判定部４１から通常起動モード通知を受信すると、通常起動処理の実行を開始する。なお、通常起動処理の詳細については、本発明との関連が薄いため、その説明を省略する。
【００６７】
一方、待機起動モード通知を受信すると、待機起動処理の実行を開始する。具体的にはまず、実行情報を受信したとき、当該実行情報に基づいて処理を実行する状態にするための、初回起動前処理を実行する。初回起動前処理が完了すると、処理実行部４２は、処理実行判定部４１に指示して、実行情報（キー情報）を処理可能となったことを示す情報であるキー情報処理可能通知を、副制御部２２（実行情報生成部３１）に送信させる。
【００６８】
次に、処理実行部４２は、初回起動処理を実行する。ここで、初回起動処理とは、テレビ１のテレビ機能を実行可能とするための、いわゆる前処理であり、例えば、現在時刻を取得する時刻取得処理を含む。なお、初回起動処理は、時刻取得処理に限定されず、他の処理を含んでいてもよい。
【００６９】
初回起動処理が完了し、情報機器部１２から、主制御部２１をシャットダウン状態とするための情報であるＯＦＦ要求を受信すると、処理実行部４２は、シャットダウン処理を実行する。具体的には、処理実行部４２は、バックライト（不図示）を停止して表示部１６に画面を表示しない状態とする。また、処理実行部４２は、報知部（ＬＥＤ、不図示）の発光色を緑色から赤色に変えてもよい。
【００７０】
そして、処理実行部４２は、シャットダウン処理を終了して、主制御部２１をシャットダウン状態とするため、すなわち、主制御部２１に対する電力供給を停止させるために、電力停止指示を電力制御部４３に供給する。これにより、主制御部２１への電力供給が停止し、シャットダウン処理が完了する。そして、待機起動処理も完了する。
【００７１】
さらに、処理実行部４２は、待機起動処理の実行中、具体的には、キー情報処理可能通知を送信してから、主制御部２１への電力供給が停止するまでの間に、副制御部２２から起動キーが送信されることによって、処理実行判定部４１から起動処理の実行を指示された場合、起動処理を実行する。
【００７２】
また、処理実行部４２は、タッチパネルを介して入力されたタッチ操作に基づく処理を実行してもよい。例えば、タッチパネルを介して表示部１６に表示する画面（情報機器部１２が生成した画面）の変更が指示された場合、処理実行部４２は、情報機器部１２から画面の変更指示を受信する。また、ＨＤＭＩを介して情報機器部１２から変更後の画面を受信する。そして、処理実行部４２は、受信した変更指示に基づいて、受信した変更後の画面を表示部１６に表示する。
【００７３】
電力制御部４３は、主制御部２１に供給される電力を制御するものである。具体的には、電力制御部４３は、処理実行部４２から電力停止指示を供給されると、通電制御部３２に通電断要求を送信する。これにより、電力供給部２３からの電力供給が停止する。
【００７４】
記憶部４４は、主制御部２１が使用する各種データを格納する記憶装置である。記憶部４４は、例えば、第１の操作主体設定が有効であるか無効であるかを示すフラグを記憶している。また、記憶部４４は、表示部１６に表示する画面を記憶していてもよい。例えば、上述した起動中画面や、終了処理の実行時に表示部１６に表示する終了中画面を記憶していてもよい。
【００７５】
ここで終了中画面とは、ユーザに対して、テレビ１が現在シャットダウン処理を実行していることを通知するための画面であり、テレビ１が現在シャットダウン処理を実行していることを通知することができれば、その内容は特に限定されるものではない。
【００７６】
（情報機器部１２）
情報機器部１２は、電力制御部５１、処理実行判定部５２（第２の状態制御手段）、処理実行部５３、入力制御部５４、記憶部５５、および通信部５６を含む。
【００７７】
電力制御部５１は、情報機器部１２に供給される電力を制御するものである。具体的には、電力制御部５１は、処理実行部５３にから電力停止指示を供給されると、通電制御部３２に通電断要求を送信する。これにより、電力供給部２３からの電力供給が停止する。
【００７８】
処理実行判定部５２は、待機起動処理を実行する場合、情報機器部１２を、実行指示を受信したとき処理を実行する状態とするものである。具体的には、処理実行判定部５２は、実行情報生成部３１から待機起動モード通知を受信すると、記憶部５５に記憶されている第２の操作主体設定の有効と無効とを書き換える。ここで、情報機器部１２は、通常の場合は実行情報に基づいて処理を実行するため、起動直後においては、処理実行判定部５２は第２の操作主体設定を有効にする。つまり、処理実行判定部５２は、待機起動モード通知を受信すると、記憶部５５に記憶されている第２の操作主体設定を有効から無効に書き換える。
【００７９】
また、処理実行判定部５２は、主制御部２１（処理実行判定部４１）から操作主体変更通知を受信すると、第２の操作主体設定が無効となっていることを確認して、処理実行判定部４１に操作主体委譲通知を送信する。
【００８０】
また、処理実行判定部５２は、主制御部２１（処理実行判定部４１）から操作主体切替通知を受信したとき、第２の操作主体設定を無効から有効に書き換える。なお、操作主体切替通知とは、主制御部２１が第１の操作主体設定を書き換えたことを情報機器部１２に通知するための情報である。
【００８１】
ここで、上記第２の操作主体設定について詳細に説明する。第２の操作主体設定とは、情報機器部１２が実行情報に基づいて処理を実行するか否かを、処理実行判定部５２が特定するためのものである。第２の操作主体設定が有効であれば、情報機器部１２（処理実行判定部５２）は、副制御部２２から供給された実行情報に基づいて処理を実行する。換言すれば、情報機器部１２は主制御部２１からの指示を受けることなく、処理を実行する。一方、操作主体設定が無効であれば、情報機器部１２（処理実行判定部５２）は、主制御部（処理実行部４２）から供給される実行指示を受信してから処理を実行する。つまり、処理実行判定部５２は、上述した処理実行判定部４１と同様に、操作主体設定が有効であるか無効であるかを示すフラグを管理しており、当該フラグは例えば記憶部５５のメモリに書き込まれる。なお、当該メモリは揮発性メモリであり、情報機器部１２への通電が停止され、再び通電が開始された（起動された）場合、通電が停止された時点で第２の操作主体設定が無効であったとしても、起動後の第２の操作主体設定は有効となる。
【００８２】
また、処理実行判定部５２は、操作主体設定が有効である場合、実行情報に基づく処理を実行するように処理実行部５３に指示する（処理実行指示を処理実行部５３に供給する）。一方、操作主体設定が無効である場合、処理実行判定部５２は、情報機器部１２からの指示を受信して処理を実行するように処理実行部５３に指示する（待機指示を処理実行部５３に供給する）。
【００８３】
さらに、処理実行判定部５２は、電力供給部２３から電力を供給されることで起動処理が実行され、動作可能となると、副制御部２２との通信が確立したことを確認して、実行情報生成部３１に起動モード取得要求を送信する。そして、実行情報生成部３１から起動モード通知を受信すると、処理実行部５３に情報機器部１２を起動するための処理の実行を指示する。具体的には、処理実行判定部５２は、通常起動モード通知を受信すると、通常起動処理の実行を処理実行部５３に指示する。また、待機起動モード通知を受信すると、待機起動処理の実行を処理実行部５３に指示する。
【００８４】
処理実行部５３は、情報機器部１２において処理を実行するものである。具体的には、処理実行部５３は、処理実行判定部５２からの指示に基づいて処理を実行する。具体的には、処理実行指示を供給されると、処理実行部５３は実行情報に基づく処理（例えば、待機起動処理実行中における起動処理）を実行する。また、待機指示を供給されると、処理実行部５３は、主制御部２１からの実行指示があったとき、実行指示に基づく処理を実行する。なお、処理実行部５３は、後述するシャットダウン処理を実行した場合、当該シャットダウン処理の最後に、情報機器部１２に対する電力供給を停止させるために、電力停止指示を電力制御部５１に供給する。
【００８５】
また、処理実行部５３は、情報機器部１２を終了させる場合、情報機器部１２への電力供給を停止してシャットダウン状態とするシャットダウン処理を実行するか、またはスリープ状態に移行するスリープ処理を実行するかを特定する。具体的には、処理実行部５３は、スリープ処理を実行することを示すスリープ設定が有効であるか否かを示すフラグを確認して、スリープ設定が有効の場合はスリープ処理を開始し、スリープ設定が無効の場合はシャットダウン処理を開始する。なお、当該フラグは、例えば、記憶部５５のメモリに書き込まれる。そして、処理実行部５３は、スリープ設定が有効である場合、処理実行判定部５２に指示して、操作主体切替要求を主制御部２１（処理実行判定部４１）に対して送信させる。
【００８６】
入力制御部５４は、タッチ入力部１７からの検出信号に基づいて、指示体のタッチ位置（タッチ操作位置）を特定し、タッチ操作に基づく処理を特定する。そして、特定した処理を実行させるための処理実行指示を、処理実行部５３に供給する。なお、入力制御部５４は、タッチ位置の点の集合（指示体の移動の軌跡）を時系列で取得し、タッチ操作の種別を判別してもよい。タッチ操作の種別としては、シングルタップ、ダブルタップ、フリック、ドラッグアンドドロップ、ピンチイン、ピンチアウトなどの例があるが、これに限らない。
【００８７】
記憶部５５は、情報機器部１２が使用する各種データを格納する記憶装置である。記憶部５５は、例えば、第２の操作主体設定が有効であるか無効であるかを示すフラグを記憶している。また、記憶部５５は、スリープ設定が有効であるか無効であるかを示すフラグを記憶している。なお、記憶部５５に記憶されているデータは、上記の例に限定されない。
【００８８】
通信部５６は、ネットワークを介して外部装置との間で情報を送受信するものである。例えば、通信部５６は、動画投稿サイトにアクセスして、ユーザが選択した動画を再生したり、ダウンロードしたりしてもよい。
【００８９】
（待機起動処理の流れ）
次に、図３から図６を参照して、テレビ１が実行する待機起動処理の流れについて説明する。図３は、待機起動処理を実行した場合のテレビ１の外観図である。図４は、主制御部２１における待機起動処理の流れを示すフローチャートである。図５は、情報機器部１２における待機起動処理の流れを示すフローチャートである。図６は、テレビ１の待機起動処理を示すシーケンス図である。
【００９０】
ここで、待機起動処理とは、外部から電力が供給されたとき（例えばコンセントに電子機器のプラグを刺したとき）に、テレビ１は、主制御部２１および情報機器部１２を起動して初回起動処理（時刻設定など）を実行した後、主制御部２１および情報機器部１２を終了する処理である。そして、テレビ１は、入力部１３を介した入力操作、例えば、リモコンの電源ボタンを押下したり、テレビ１の筐体に設けられた電源ボタンを押下したりする起動操作を受け付けることができる状態（以降、スタンバイ状態と称する）となる。
【００９１】
図３を参照して説明すれば、外部から電力が供給されていない、すなわち未通電状態のテレビ１に対して、外部から電力が供給されるとスタンバイ状態となる。なお、外部から電力が供給されたとき、報知部（ＬＥＤ）を発光していない状態から赤色に発光している状態に変化させてもよい。これにより、テレビ１に対して外部からの電力が供給されたことを知らせることができる。
【００９２】
そして、この未通電状態からスタンバイ状態までの間に、主制御部２１および情報機器部１２が起動して、初回起動処理を実行する。ここで、待機起動処理の間は、主制御部２１および情報機器部１２が起動しているが、主制御部２１（処理実行部４２）は、バックライト（不図示）を起動しない。すなわち、図３に示すように、待機起動処理中は表示部１６に何も表示されない。換言すれば、テレビ１は、待機起動処理を実行中であることをユーザに通知しないということである。
【００９３】
そして、待機起動処理が終了した後、ユーザがリモコンの電源ボタンを押下するなどの起動操作を行った場合、テレビ１は、通常起動処理を実行する。この場合は、主制御部２１（処理実行部４２）はバックライトを起動するので、表示部１６に画面（例えば、起動中画面）が表示される。なお、バックライトの起動に併せて、報知部の発光色を赤色から緑色に変えてもよい。
【００９４】
（主制御部２１における待機起動処理の流れ）
次に、図４を参照して、主制御部２１における待機起動処理（第１の待機起動処理、第１の待機起動ステップ）の流れを説明する。なお、図４に示すフローチャートは、電源部１４を介した外部からの電力供給が開始された後、例えば、ユーザがプラグをコンセントに刺した後の処理を示している。
【００９５】
まず、主制御部２１に対して通電が開始される（Ｓ１でＹＥＳ）と、処理実行部４２は初回起動前処理を開始する（Ｓ２）。そして、処理実行部４２は、処理実行判定部４１に指示して、記憶部４４に記憶されている操作主体設定（第１の操作主体設定）を無効にする（Ｓ３）。つまり、処理実行判定部４１は、主制御部２１が起動されると、初期設定として第１の操作主体設定を無効にして、処理実行部４２が情報機器部１２から送信される実行指示を待って処理（例えば、待機起動処理中の起動処理）を実行する状態にする。
【００９６】
次に、副制御部２２との通信が確立する（Ｓ４でＹＥＳ）と、処理実行判定部４１は、実行情報生成部３１に起動モード取得要求を送信する（Ｓ５）。ここで、起動モード取得要求に対する起動モード通知が、待機起動モード通知でない（例えば、通常起動モード通知である）場合（Ｓ６でＮＯ）、処理実行判定部４１は、その旨を処理実行部４２に通知し、処理実行部４２は通常の起動処理へ移行する（Ｓ１７）。なお、通常の起動処理の詳細については、本発明との関連が薄いため、その説明を省略する。
【００９７】
一方、起動モード取得要求に対する起動モード通知が、待機起動モード通知である場合（Ｓ６でＹＥＳ）、処理実行判定部４１は、情報機器部１２との通信が確立したか否かを確認する（Ｓ７）。そして、情報機器部１２との通信が確立したことを確認した場合（Ｓ７でＹＥＳ）、処理実行判定部４１は、情報機器部１２（処理実行判定部５２）に操作主体変更通知を送信する（Ｓ８）。続いて、情報機器部１２から操作主体委譲通知を受信すると（Ｓ９でＹＥＳ）、処理実行判定部４１は、記憶部４４に記憶されている第１の操作主体設定を有効にする（Ｓ１０、第１の状態制御ステップ）。
【００９８】
つまり、処理実行判定部４１は、待機起動モード通知を受信したことにより、情報機器部１２に、主制御部２１が第１の操作主体設定を有効にすることを情報機器部１２に通知するための操作主体変更通知を送信する。そして、第２の操作主体設定を無効にしたことを主制御部２１に通知するための操作主体委譲通知を、情報機器部１２から受信して、処理実行判定部４１は、処理実行部４２が実行情報（起動キー）に基づいて処理（例えば、待機起動処理中の起動処理）を実行できる状態にする。
【００９９】
続いて、処理実行部４２は、キー情報を処理可能な状態となると、処理実行判定部４１に指示して、キー情報処理可能通知を実行情報生成部３１に送信させる（Ｓ１１）。そして、処理実行部４２は初回起動前処理を完了して、初回起動処理を実行する（Ｓ１２）。
【０１００】
初回起動処理が完了した後、情報機器部１２から、操作主体切替要求を受信しなかった場合（Ｓ１３でＮＯ）、処理実行部４２は、情報機器部１２（処理実行部５３）からＯＦＦ要求を受信して（Ｓ１４でＹＥＳ）、シャットダウン処理を開始する（Ｓ１５）。具体的には、処理実行部４２は、バックライト（不図示）を停止して表示部１６に画面を表示しない状態とする。また、処理実行部４２は、報知部（ＬＥＤ、不図示）の発光色を緑色から赤色に変えてもよい。続いて、処理実行部４２は、シャットダウン処理を終了させるため、すなわち、主制御部２１に対する電力供給を停止させるために、電力停止指示を電力制御部４３に供給する。そして、電力制御部４３は、通電制御部３２に通電断要求を送信する（Ｓ１６）。これにより、通電制御部３２は電力供給部２３に指示して、主制御部２１への電力供給を停止させる。以上で、主制御部２１のシャットダウン処理が完了し、待機起動処理も完了する。
【０１０１】
なお、初回起動処理が完了した後、情報機器部１２から、操作主体切替要求を受信した場合（Ｓ１３でＹＥＳ）の処理の流れについては後述する。
【０１０２】
（情報機器部１２における待機起動処理の流れ）
次に、図５を参照して、情報機器部１２における待機起動処理（第２の待機起動処理、第２の待機起動ステップ）の流れを説明する。なお、図５に示すフローチャートは、電源部１４を介した外部からの電力供給が開始された後、例えば、ユーザがプラグをコンセントに刺した後の処理を示している。
【０１０３】
まず、情報機器部１２に対して通電が開始される（Ｓ２１）と、処理実行部５３は初回起動前処理を開始する（Ｓ２２）。そして、処理実行部５３は、処理実行判定部５２に指示して、記憶部５５に記憶されている操作主体設定（第２の操作主体設定）を有効にする（Ｓ２３）。つまり、処理実行判定部５２は、情報機器部１２が起動されると、初期設定として第２の操作主体設定を有効にして、処理実行部５３が副制御部２２から送信される実行情報（起動キー）に基づいて処理（例えば、待機起動処理中の起動処理）を実行する状態にする。
【０１０４】
次に、副制御部２２との通信が確立する（Ｓ２４）と、処理実行判定部５２は、実行情報生成部３１に起動モード取得要求を送信する（Ｓ２５）。ここで、起動モード取得要求に対する起動モード通知が、待機起動モード通知でない（例えば、通常起動モード通知である）場合（Ｓ２６でＮＯ）、処理実行判定部５２は、その旨を処理実行部５３に通知し、処理実行部５３は通常の起動処理へ移行する（Ｓ３５）。
【０１０５】
一方、起動モード取得要求に対する起動モード通知が、待機起動モード通知である場合（Ｓ２６でＹＥＳ）、処理実行判定部５２は、第２の操作主体設定を無効にする（Ｓ２７、第２の状態制御ステップ）。つまり、処理実行判定部５２は、待機起動モード通知を受信したことにより、処理実行部５３が主制御部２１から送信される実行指示を待って処理（例えば、待機起動処理中の起動処理）を実行する状態にする。
【０１０６】
続いて、処理実行判定部５２は、主制御部２１が送信した操作主体変更通知を受信すると（Ｓ２８でＹＥＳ）、操作主体委譲通知を主制御部２１（処理実行判定部４１）に送信する（Ｓ２９）。
【０１０７】
続いて、処理実行部５３は、初回起動前処理を完了すると、初回起動処理を実行する（Ｓ３０）。そして、処理実行部５３は、初回起動処理が完了した後、情報機器部１２を終了させるための処理を実行するために、記憶部５５を参照して、スリープ設定が有効であるか否かを判定する（Ｓ３１）。スリープ設定が有効でない場合（Ｓ３１でＮＯ）、処理実行部５３は、シャットダウン処理を開始する（Ｓ３２）。そして、処理実行部５３は主制御部２１（処理実行部４２）に対してＯＦＦ要求を送信する（Ｓ３３）。ここで、ＯＦＦ要求とは、主制御部２１にシャットダウン処理を開始させるための実行指示である。なお、ＯＦＦ要求が送信されるタイミングは特に限定されないが、例えば、後述する電力停止指示を送信する直前であってもよい。
【０１０８】
続いて、処理実行部５３は、シャットダウン処理を終了させるため、すなわち、情報機器部１２に対する電力供給を停止させるために、電力停止指示を電力制御部５１に供給する。そして、電力制御部５１は、通電制御部３２に通電断要求を送信する（Ｓ３４）。これにより、通電制御部３２は電力供給部２３に指示して、情報機器部１２への電力供給を停止させる。以上で情報機器部１２のシャットダウン処理が完了し、待機起動処理も完了する。
【０１０９】
なお、スリープ設定が有効である場合（Ｓ３１でＹＥＳ）の処理の流れについては後述する。
【０１１０】
（テレビ１における待機起動処理）
続いて、図６を参照して、テレビ１における待機起動処理の流れを説明する。なお、図６は、スリープ設定が無効、すなわち、情報機器部１２がシャットダウン処理を実行する場合の待機起動処理の流れを示している図である。なお、図６における破線の両矢印が示す期間において、主制御部２１および情報機器部１２を起動するための操作があった場合、テレビ１にて、どの部材が処理を実行するかを両矢印の右側に示している。
【０１１１】
電源部１４を介して外部から電力が供給されると、電力供給部２３から副制御部２２に電力が供給され、副制御部２２が起動する。そして、副制御部２２（通電制御部３２）は、電力供給部２３に電力供給指示を送信して、主制御部２１および情報機器部１２に電力を供給させる（通電開始）。主制御部２１および情報機器部１２に電力が供給されると、主制御部２１および情報機器部１２が起動して、処理実行部４２および処理実行部５３が待機起動処理を開始する。具体的にはまず、初回起動前処理を開始する。初回起動前処理を開始すると、処理実行部４２は、処理実行判定部４１に指示して、記憶部４４に記憶されている操作主体設定（第１の操作主体設定）を無効にさせる。また、処理実行部５３は、処理実行判定部５２に指示して、記憶部５５に記憶されている操作主体設定（第２の操作主体設定）を有効にさせる。
【０１１２】
初回起動前処理の実行中に、副制御部２２と、主制御部２１および情報機器部１２との通信が確立すると、処理実行部４２および処理実行部５３はそれぞれ、処理実行判定部４１および処理実行判定部５２に指示して、実行情報生成部３１に対して起動モード取得要求を送信させる。実行情報生成部３１は、起動モード取得要求を受信すると、起動モード通知（図６の場合、待機起動モード通知）を処理実行判定部４１および処理実行判定部５２に送信する。
【０１１３】
なお、起動処理が開始してから副制御部２２との通信が確立するまでの時間は、主制御部２１の方が情報機器部１２より短い。よって、図６では、起動モード取得要求の送信および通常起動モード通知の受信が、主制御部２１の方が情報機器部１２より早く実行される。
【０１１４】
待機起動モード通知を受信すると、処理実行判定部４１は、情報機器部１２との通信が確立したことを確認した上で、情報機器部１２（処理実行判定部５２）に対して操作主体変更通知を送信する。一方、処理実行判定部５２は、待機起動モード通知を受信すると、第２の操作主体設定を書き換える。具体的には、処理実行判定部５２は、記憶部５５に記憶されている第２の操作主体設定を無効にし、情報機器部１２を、処理実行部５３が主制御部２１から送信される実行指示を待って処理を実行する状態とする。そして、主制御部２１から送信された操作主体変更通知を受信すると、主制御部２１（処理実行判定部４１）に操作主体委譲通知を送信する。
【０１１５】
処理実行判定部４１は、操作主体委譲通知を受信すると、第１の操作主体設定を書き換える。具体的には、記憶部４４に記憶されている第１の操作主体設定を有効にし、処理実行部４２が実行情報に基づいて処理（例えば、待機起動処理中の起動処理）を実行できる状態にする。
【０１１６】
また、処理実行部４２は、キー情報を処理可能な状態となると、処理実行判定部４１に指示して、キー情報処理可能通知を実行情報生成部３１に送信させる。そして、処理実行部４２は初回起動前処理を完了して、初回起動処理を実行する。一方、処理実行部５３も、初回起動前処理が完了すると、初回起動処理を実行する。
【０１１７】
処理実行部５３は、初回起動処理が完了すると、情報機器部１２を終了させるための処理を実行するために、記憶部５５を参照して、スリープ設定が有効であるか否かを判定する。図６の場合、スリープ設定は無効であるので、処理実行部５３はシャットダウン処理を開始する。そして、処理実行部５３は主制御部２１（処理実行部４２）に対して実行指示であるＯＦＦ要求を送信する。ＯＦＦ要求を受信した処理実行部４２は、シャットダウン処理を開始する。具体的には、処理実行部４２は、バックライト（不図示）を停止して表示部１６に画面を表示しない状態とする。また、処理実行部４２は、報知部（ＬＥＤ、不図示）の発光色を緑色から赤色に変えてもよい。
【０１１８】
そして、処理実行部４２および処理実行部５３はそれぞれ、シャットダウン処理を終了させるために、電力停止指示を電力制御部４３および電力制御部５１に供給する。電力制御部４３および電力制御部５１は、通電断要求を通電制御部３２に送信する。通電断要求を受信した通電制御部３２は、供給停止指示を電力供給部２３に送信して、主制御部２１および情報機器部１２への電力供給を停止させる（通電断）。以上で、主制御部２１および情報機器部１２における待機起動処理が完了する。図６の例では、待機起動処理が完了した時点で、電力供給部２３からの電力は、副制御部２２のみに供給されている状態となっている。換言すれば、待機起動処理が完了した時点で、副制御部２２は通電状態となっており、主制御部２１および情報機器部１２は非通電状態となっている。
【０１１９】
（実施形態１に係るテレビ１の作用効果）
以上のように、本実施形態に係るテレビ１の処理実行判定部４１は、待機起動モードを受信すると、記憶部４４に記憶されている第１の処理設定（初期設定として無効になっている）を有効にし、主制御部２１を、処理実行部４２が実行情報に基づいて処理を実行可能な状態とする。一方、処理実行判定部５２は、待機起動モードを受信すると、記憶部５５に記憶されている第２の処理設定（初期設定として有効になっている）を無効にし、情報機器部１２を、処理実行部５３が主制御部２１から送信される実行指示を待って処理を実行する状態とする。
【０１２０】
待機起動処理を実行している間は、情報機器部１２は、実行情報を受信して処理を実行することができない。そのため、情報機器部１２は、主制御部２１へ実行指示を送信することができない。つまり、従来のテレビでは、待機起動中に、入力部１３を介した入力操作（例えば、ユーザがリモコンの電源ボタンを押下するなどの起動操作）があったことにより、副制御部２２から実行情報（例えば、起動キー）が供給されても、情報機器部１２は起動処理を実行させるための実行指示を主制御部２１へ送信することができない。これにより、主制御部２１において起動処理が実行されず、ユーザが起動操作を行ったにもかかわらず、テレビが起動されないという問題が起こる。
【０１２１】
一方、上述したように、本実施形態に係るテレビ１は、待機起動モードを受信すると、主制御部２１（処理実行部４２）が実行情報に基づいて処理を実行可能な状態とするので、待機起動処理中に実行情報を供給されても、主制御部２１（処理実行部４２）が処理を実行することができる。よって、待機起動中であってもユーザの操作に迅速に応答することができる。
【０１２２】
〔実施形態２〕
本発明の他の実施形態について、図７から図９に基づいて説明すれば、以下のとおりである。なお、説明の便宜上、上記実施形態にて説明した部材と同じ機能を有する部材については、同じ符号を付記し、その説明を省略する。
【０１２３】
本実施形態では、テレビ１において待機起動処理を実行中に、副制御部２２が入力部１３を介した入力操作を特定した場合、すなわち、待機起動処理中の起動処理について詳細に説明する。なお、本実施形態では、ユーザがリモコンの電源ボタンを押下するなどの起動操作を入力操作の一例として説明するが、入力操作はこれに限定されるものではない。
【０１２４】
図７は、主制御部２１における待機起動処理中の起動処理の流れを示すフローチャートである。図８は、情報機器部１２における待機起動処理中の起動処理の流れを示すフローチャートである。図９は、テレビ１の待機起動処理中の起動処理の流れを示すシーケンス図である。なお、図９は、主制御部２１が副制御部２２にキー情報処理可能通知を送信した後、かつ、情報機器部１２がシャットダウン処理またはスリープ処理を実行する前に、起動操作があった場合の例を示している。つまり、図９の両矢印で示すように、主制御部２１がキー情報（起動キー）に基づいて処理を実行する場合の例を示している。
【０１２５】
（主制御部２１における待機起動処理中の起動処理の流れ）
まず、図７を参照して、主制御部２１における待機起動処理中の起動処理の流れを説明する。なお、以降、待機起動処理中の起動処理を「起動処理」と称する場合がある。また、図７は、ユーザが待機起動処理中にリモコンの電源ボタンまたはテレビ１の筐体に設けられた電源ボタンを押下する起動操作を実行した後の処理を示している。
【０１２６】
まず、処理実行判定部４１が起動キーを受信すると（Ｓ４１でＹＥＳ）、処理実行判定部４１は、記憶部４４に記憶されている操作主体設定（第１の操作主体設定）が有効であることを確認する（Ｓ４２）。換言すれば、処理実行判定部４１は、記憶部４４を参照して、第１の操作主体設定が有効であるか、または無効であるかを判定した結果、第１の操作主体設定が有効であると判定する。第１の操作主体設定が有効であることを確認すると、処理実行判定部４１は、処理実行部４２に対して起動処理を開始するための処理実行指示を供給する。
【０１２７】
処理実行指示を受けて、処理実行部４２は起動処理を開始する（Ｓ４３）。具体的には、処理実行部４２は、まず初回起動処理を実行する。そして、初回起動処理が完了すると、バックライト（不図示）を起動して表示部１６に画面（例えば、起動中画面）を表示する。また、処理実行部４２は、報知部（ＬＥＤ、不図示）の発光色を赤色から緑色に変えてもよい。
【０１２８】
続いて、処理実行部４２は、処理実行判定部４１に指示して、実行指示としてＯＮ要求を情報機器部１２（処理実行判定部５２）に対して送信させる（Ｓ４４）。そして、処理実行判定部４１は、情報機器部１２から実行指示処理可能通知を受信した場合（Ｓ４５でＹＥＳ）、記憶部４４に記憶している第１の操作主体設定を無効にする（Ｓ４６）。つまり、処理実行判定部４１は主制御部２１を、これ以降に処理実行判定部４１が実行情報を受信しても、処理実行部４２が情報機器部１２から送信される実行指示を待って処理を実行する状態とする。そして、処理実行判定部４１は、情報機器部１２（処理実行判定部５２）に対して、操作主体切替通知を送信する（Ｓ４７）。以上で、主制御部２１における起動処理が完了する。なお、ＯＮ要求とは、情報機器部１２に起動処理を開始させるための実行指示である。また、ＯＮ要求を送信するタイミングは特に限定されない。例えば、初回起動処理が完了した直後であってもよい。
【０１２９】
また、処理実行判定部４１が、情報機器部１２から実行指示処理可能通知を受信しなかった場合（Ｓ４５でＮＯ）の処理の流れについては後述する。
【０１３０】
（情報機器部１２における待機起動処理中の起動処理の流れ）
次に、図８を参照して、情報機器部１２における待機起動処理中の起動処理の流れを説明する。なお、図８は、ユーザが待機起動処理中にリモコンの電源ボタンまたはテレビ１の筐体に設けられた電源ボタンを押下する起動操作を実行した後の処理を示している。
【０１３１】
まず、処理実行判定部５２が起動キーを受信すると（Ｓ６１でＹＥＳ）、処理実行判定部５２は、記憶部５５に記憶されている操作主体設定（第２の操作主体設定）が無効であることを確認する（Ｓ６２）。換言すれば、処理実行判定部５２は、記憶部５５を参照して、第２の操作主体設定が有効であるか、または無効であるかを判定した結果、第２の操作主体設定が無効であると判定する。第２の操作主体設定が無効であることを確認すると、処理実行判定部５２は、処理実行部５３に対して待機指示を供給する。
【０１３２】
待機指示を受けると、処理実行部５３は、実行指示を受信するまで待機する。ここで、処理実行部５３が実行指示としてＯＮ要求を受信すると（Ｓ６３でＹＥＳ）、実行指示に基づく処理が可能であるか否かを判定する（Ｓ６４）。具体的には、処理実行部５３は、ＯＮ要求を受信した時点で、シャットダウン処理を実行しているか否かを判定する。シャットダウン処理を実行していない場合、すなわち、実行指示に基づく処理が可能である場合（Ｓ６４でＹＥＳ）、処理実行部５３は、処理実行判定部５２に指示して、主制御部２１（処理実行判定部４１）に対して実行指示処理可能通知を送信させる（Ｓ６５）。そして、処理実行部５３は起動処理を開始する（Ｓ６６）。具体的には、処理実行部５３は、まず初回起動処理を実行する。そして、初回起動処理が完了すると、情報機器部１２の起動処理を開始する。なお、シャットダウン処理を実行している場合、すなわち、実行指示に基づく処理が不可能である場合（Ｓ６４でＮＯ）の処理の流れについては後述する。
【０１３３】
続いて、処理実行判定部５２が、操作主体切替通知を受信すると（Ｓ６７でＹＥＳ）、処理実行判定部５２は、記憶部５５に記憶されている第２の操作主体設定を有効にする（Ｓ６８）。つまり、処理実行判定部５２は情報機器部１２を、これ以降に処理実行判定部５２が実行情報を受信した場合、処理実行部４２が当該実行情報に基づいて処理を実行する状態とする。以上で、情報機器部１２における起動処理が完了する。
【０１３４】
（テレビ１における待機起動処理中の起動処理）
次に、図９を参照して、テレビ１における待機起動処理中の起動処理の流れを説明する。なお、図９は、スリープ設定が無効、すなわち、情報機器部１２がシャットダウン処理を実行する場合の待機起動処理の流れを示しており、主制御部２１（処理実行判定部４１）が、副制御部２２（実行情報生成部３１）に対してキー情報処理可能通知を送信してから、情報機器部１２（処理実行部５３）がシャットダウン処理を開始するまでの間に、ユーザがリモコンの電源ボタンを押下するなどの起動操作を行った場合の処理の流れを示している。
【０１３５】
また、主制御部２１（処理実行判定部４１）が、副制御部２２（実行情報生成部３１）に対してキー情報処理可能通知を送信するまでの処理の流れは、実施形態１にて図６を参照して既に説明しているため、ここでの説明を省略する。
【０１３６】
入力部１３に対してユーザが入力操作（起動操作）を行うと、実行情報生成部３１は、当該起動操作を特定するとともに、通電制御部３２に指示して、電力供給部２３が主制御部２１および情報機器部１２に電力を供給しているか否かを確認させる。図９の場合、主制御部２１および情報機器部１２は、待機起動処理を実行中であるため、電力供給部２３は、主制御部２１および情報機器部１２に電力を供給している。電力供給部２３が主制御部２１および情報機器部１２に電力を供給していることを確認すると、実行情報生成部３１は、処理実行判定部４１および処理実行判定部５２に実行情報として起動キーを送信する。
【０１３７】
起動キーを受信した処理実行判定部４１および処理実行判定部５２は、操作主体設定が有効であるか、または無効であるかを判定する。具体的には、処理実行判定部４１は、記憶部４４を参照して、第１の操作主体設定が有効であると判定する。そして、処理実行判定部４１は、処理実行部４２に、起動処理を開始するための処理実行指示を供給する。一方、処理実行判定部５２は、記憶部５５を参照して、第２の操作主体設定が無効であると判定する。そして、処理実行判定部５２は、処理実行部５３に、待機指示を供給する。
【０１３８】
処理実行指示を供給された処理実行部４２は、起動処理を開始する。なお、当該起動処理は、上述したように、初回起動処理を含んでいる。そして、処理実行部４２は、実行指示としてＯＮ要求を情報機器部１２（処理実行部５３）に対して送信する。
【０１３９】
ＯＮ要求を受信した処理実行部５３は、実行指示に基づく処理が可能であるか否かを判定する。具体的には、処理実行部５３は、ＯＮ要求を受信した時点で、シャットダウン処理を実行しているか否かを判定する。図９の場合、処理実行部５３はシャットダウン処理を実行していないので、実行指示に基づく処理が可能であると判定する。そして、処理実行部５３は、処理実行判定部５２に指示して、実行指示処理可能通知を主制御部２１（処理実行判定部４１）に送信させる。
【０１４０】
実行指示処理可能通知を受信した処理実行判定部４１は、第１の操作主体設定を書き換える。具体的には、処理実行判定部４１は、記憶部４４に記憶されている第１の操作主体設定を無効にし、主制御部２１を、処理実行部４２が情報機器部１２から送信される実行指示を待って処理を実行する状態とする。そして、処理実行判定部４１は、第１の操作主体設定を無効にすると、操作主体切替通知を情報機器部１２（処理実行判定部５２）に送信する。そして、処理実行部４２は、起動処理を完了する（起動完了）。
【０１４１】
操作主体切替通知を受信した処理実行判定部５２は、第２の操作主体設定を書き換える。具体的には、処理実行判定部５２は、記憶部５５に記憶されている第２の操作主体設定を有効にし、情報機器部１２を、処理実行部５３が実行情報に基づいて処理を実行する状態とする。そして、処理実行部５３は、起動処理を完了する（起動完了）。
【０１４２】
（実施形態２に係るテレビ１の作用効果）
以上のように、本実施形態に係るテレビ１は、副制御部２２が起動操作を特定し、主制御部２１および情報機器部１２に実行情報として起動キーが送信されると、操作主体設定が有効であるか、または無効であるかを判定する。ここで、起動キーが主制御部２１および情報機器部１２に送信される前に、記憶部４４に記憶されている操作主体設定（第１の操作主体設定）は有効となっているので、操作主体設定が有効であるか、または無効であるかの判定結果は有効となる。よって、主制御部２１は、受信した起動キーに基づいて処理を実行することができる。よって、待機起動中であってもユーザの操作に迅速に応答することができる。
【０１４３】
一方、記憶部５５に記憶されている操作主体設定（第２の操作主体設定）は起動キーが送信される前に無効となっているので、判定結果は無効となる。そのため、情報機器部１２は、主制御部２１からの実行指示を待って起動処理を実行する。
【０１４４】
ここで、情報機器部１２は、実行指示であるＯＮ要求を受信すると、実行指示に基づいて起動処理を実行可能であるか否かを判定する。そして、実行可能であると判定されると、起動処理を実行するとともに、第１の処理設定を無効にするための情報（実行指示処理可能通知）を主制御部２１に送信する。また、主制御部２１は第１の処理接地を無効にすると、第２の処理設定を無効にするための情報（操作主体切替通知）を情報機器部１２に送信する。
【０１４５】
これにより、起動処理が完了した時点で、主制御部２１における操作主体設定（第１の操作主体設定）は無効となり、情報機器部１２における操作主体設定（第２の操作主体設定）は有効となる。これはつまり、第１の操作主体設定および第２の操作主体設定が、初期設定と同じ状態となったということである。よって、本実施形態におけるテレビ１は、待機起動処理中の起動処理が完了した時点で、通常の状態、すなわち、主制御部２１が情報機器部１２から送信される実行指示を受けて処理を実行する状態とすることができる。
【０１４６】
〔実施形態３〕
本発明のさらに別の実施形態について、図７、図８、および図１０に基づいて説明すれば、以下のとおりである。なお、説明の便宜上、上記実施形態にて説明した部材と同じ機能を有する部材については、同じ符号を付記し、その説明を省略する。
【０１４７】
本実施形態では、待機起動処理中の起動処理において、シャットダウン処理が開始されてから起動操作が行われたことにより、情報機器部１２がＯＮ要求を受信したとき、ＯＮ要求に基づく起動処理を実行不可能である場合について説明する。
【０１４８】
つまり、情報機器部１２におけるシャットダウン処理は途中で中止することができないため、シャットダウン処理を実行中にＯＮ要求を受信しても、情報機器部１２は、シャットダウン処理を中止して起動処理を実行することができない。よって、情報機器部１２は最終的にシャットダウン処理が完了して非通電の状態となる。
【０１４９】
一方、主制御部２１は起動処理を実行するため、起動された状態（通電状態）となり、主制御部２１と情報機器部１２との状態が別々となる泣き別れが発生するという問題がある。本実施形態では、この問題を解決する構成について詳細に説明する。
【０１５０】
（主制御部２１における待機起動処理中の起動処理の流れ）
まず、図７を参照して、主制御部２１における待機起動処理中の起動処理の流れを説明する。なお、ステップＳ４１からステップＳ４７までの処理については、実施形態２にて既に説明しているため、ここでの説明を省略する。
【０１５１】
処理実行判定部４１が、情報機器部１２から実行指示処理可能通知を受信しなかった場合（Ｓ４５でＮＯ）、処理実行判定部４１は、実行指示処理不可能通知を受信すると（Ｓ４８でＹＥＳ）、処理実行部４２に実行指示処理不可能通知を受信したことを通知する。処理実行部４２は、当該通知を受けて、テレビ１が現在終了処理を実行していることを通知するための画面である終了中画面を表示部１６に表示させる（シャットダウン通知を行う）（Ｓ４９）。なお、処理実行部４２は、情報機器部１２（処理実行部５３）が生成した終了中画面を予め受信しておき、記憶部４４に記憶しておけばよい。そして、処理実行判定部４１からの通知を受けると、終了中画面を記憶部４４から読み出せばよい。また、処理実行部４２は、実行指示処理不可能通知を受信したことを通知されたとき、終了中画面を自ら生成してもよい。これにより、ユーザは、情報機器部１２がシャットダウン処理を実行しているため、起動処理を行なえないということを知ることができる。
【０１５２】
そして、処理実行部４２は、情報機器部１２（処理実行部５３）から送信されたＯＦＦ要求（シャットダウン指示）を受信すると（Ｓ５０でＹＥＳ）、シャットダウン処理を開始する。具体的には、処理実行部４２は、バックライト（不図示）を停止して表示部１６に画面を表示しない状態とする。続いて、処理実行部４２は、シャットダウン処理を終了させるため、すなわち、主制御部２１に対する電力供給を停止させるために、電力停止指示を電力制御部４３に供給する。そして、電力制御部４３は、通電制御部３２に通電断要求を送信する（Ｓ５１）。これにより、通電制御部３２は電力供給部２３に指示して、主制御部２１への電力供給を停止させる。以上で、待機起動処理中の起動処理を終了する。
【０１５３】
（情報機器部１２における待機起動処理中の起動処理の流れ）
次に、図８を参照して、情報機器部１２における待機起動処理中の起動処理の流れを説明する。なお、ステップＳ６１からステップＳ６８までの処理については、実施形態２にて既に説明しているため、ここでの説明を省略する。
【０１５４】
実行指示に基づく処理が不可能である場合（Ｓ６４でＮＯ）、すなわち、処理実行部５３がシャットダウン処理を実行している場合、処理実行部５３は、処理実行判定部５２に指示して、主制御部２１（処理実行判定部４１）に対して実行指示処理不可能通知を送信させる（Ｓ６９）。そして、処理実行部５３は、引き続きシャットダウン処理を継続して、主制御部２１（処理実行部４２）に対してＯＦＦ要求を送信する（Ｓ７０）。
【０１５５】
そして、処理実行部５３は、シャットダウン処理を終了させるため、すなわち、情報機器部１２に対する電力供給を停止させるために、電力停止指示を電力制御部５１に供給する。そして、電力制御部５１は、通電制御部３２に通電断要求を送信する（Ｓ７１）。これにより、通電制御部３２は電力供給部２３に指示して、情報機器部１２への電力供給を停止させる。以上で待機起動処理中の起動処理を終了する。
【０１５６】
（テレビ１における待機起動処理中の起動処理）
次に、図１０を参照して、テレビ１における待機起動処理中の起動処理において、情報機器部１２が起動処理を実行できない場合の流れを説明する。すなわち、図１０は、情報機器部１２（処理実行部５３）がシャットダウン処理を開始してから、ユーザがリモコンの電源ボタンを押下するなどの起動操作を行った場合の処理の流れを示している。また、図１０は、スリープ設定が無効、すなわち、情報機器部１２がシャットダウン処理を実行する場合の待機起動処理の流れを示している。さらに、図１０では、初回起動処理を実行するまでの処理の流れは、図６と同様であるため記載を省略し、ここでの説明も省略する。
【０１５７】
また、主制御部２１（処理実行部４２）がＯＮ要求を送信するまでの処理の流れは、実施形態２にて既に説明しているため、ここでの説明を省略する。
【０１５８】
ＯＮ要求を受信した処理実行部５３は、実行指示に基づく処理が可能であるか否かを判定する。具体的には、処理実行部５３は、ＯＮ要求を受信した時点で、シャットダウン処理を実行しているか否かを判定する。図１０の場合、処理実行部５３はシャットダウン処理を実行しているので、実行指示に基づく処理が不可能であると判定する。そして、処理実行部５３は、処理実行判定部５２に指示して、実行指示処理不可能通知を主制御部２１（処理実行判定部４１）に送信させる。
【０１５９】
実行指示処理不可能通知を受信した処理実行判定部４１は、処理実行部４２にその旨を通知する。当該通知を受けた処理実行部４２は、記憶部４４に記憶されている終了中画面を読み出し、表示部１６に表示させる。
【０１６０】
一方、処理実行部５３は、終了処理を継続し、主制御部２１（処理実行部４２）にＯＦＦ要求を送信する。処理実行部４２は、ＯＦＦ要求を受信するとシャットダウン処理を開始する。具体的には、処理実行部４２は、バックライト（不図示）を停止して表示部１６に画面を表示しない状態とする。また、処理実行部４２は、報知部（ＬＥＤ、不図示）の発光色を緑色から赤色に変えてもよい。
【０１６１】
そして、処理実行部４２および処理実行部５３はそれぞれ、シャットダウン処理を終了させるために、電力停止指示を電力制御部４３および電力制御部５１に供給する。電力制御部４３および電力制御部５１は、通電断要求を通電制御部３２に送信する。通電断要求を受信した通電制御部３２は、供給停止指示を電力供給部２３に送信して、主制御部２１および情報機器部１２への電力供給を停止させる（通電断）。以上で、待機起動処理中の起動処理は完了する。図１０の例では、最終的に主制御部２１および情報機器部１２は非通電状態となっており、副制御部２２のみが通電状態となっている。つまり、シャットダウン処理を開始してから、ユーザがリモコンの電源ボタンを押下するなどの起動操作を行った場合、最終的なテレビ１の状態は、図６に示す待機起動処理が完了した場合と同様の状態となる。
【０１６２】
（実施形態３に係るテレビ１の作用効果）
以上のように、本実施形態に係るテレビ１の処理実行部４２は、情報機器部１２がＯＮ要求に基づく起動処理を実行不可能であることを処理実行判定部４１から通知されたとき、記憶部４４に記憶している終了中画面を読み出し、表示部１６に表示させる。これにより、最終的に主制御部２１および情報機器部１２がシャットダウンしても、ユーザが不審に思うことが無くなる。換言すれば、ユーザは、情報機器部１２がシャットダウン処理を実行していたため、起動処理を行なえないということを知ることができる。
【０１６３】
また、主制御部２１は、情報機器部１２から送信されるＯＦＦ要求を受信すると、シャットダウン処理を実行するので、最終的には主制御部２１および情報機器部１２がともに非通電の状態となる。よって、主制御部２１と情報機器部１２との泣き別れを防ぐことができる。
【０１６４】
なお、本実施形態では、終了中画面を表示部１６に表示させることで、その後主制御部２１および情報機器部１２がシャットダウンすることをユーザに通知する例を記載したが、主制御部２１および情報機器部１２がシャットダウンすることをユーザに通知することができれば、終了中画面を表示する例に限定されない。例えば、主制御部２１および情報機器部１２がシャットダウンすることを音声で通知してもよい。
【０１６５】
〔実施形態４〕
本発明のさらに別の実施形態について、図１１を参照して説明すれば、以下のとおりである。なお、説明の便宜上、上記実施形態にて説明した部材と同じ機能を有する部材については、同じ符号を付記し、その説明を省略する。
【０１６６】
本実施形態では、主制御部２１がキー情報を処理不可能な状態であるときに、ユーザによって起動操作が行われた場合の処理の流れについて説明する。なお、図１１において、上述した実施形態にて既に説明した内容と同様の部分については、ここでの説明を省略する。
【０１６７】
実行情報生成部３１が主制御部２１（処理実行判定部４１）からキー情報処理可能通知を受信する前に、実行情報生成部３１が入力部１３に対してユーザが行った入力操作（起動操作）を特定した場合、実行情報生成部３１は、起動キーを生成して、当該起動キーを、キー情報処理可能通知を受信するまで保持する。そして、キー情報処理可能通知を受信すると、実行情報生成部３１は、生成した起動キーを主制御部２１および情報機器部１２に送信する。
【０１６８】
以降の処理の流れについては、実施形態２にて図９を参照して説明した処理の流れと同様であるため、ここでの説明を省略する。
【０１６９】
（実施形態４に係るテレビ１の作用効果）
以上のように、キー情報処理可能通知を受信する前に、実行情報生成部３１が入力部１３に対してユーザが行った入力操作（起動操作）を特定した場合、実行情報生成部３１は、起動キーを生成して、当該起動キーを、キー情報処理可能通知を受信するまで保持する。そして、キー情報処理可能通知を受信すると、実行情報生成部３１は、生成した起動キーを主制御部２１および情報機器部１２に送信する。
【０１７０】
つまり、主制御部２１がキー情報を処理不可能な状態であるときに、ユーザによって起動操作が行われた場合であっても、主制御部２１がキー情報を処理可能となったことを通知した時点でキー情報を主制御部２１に送信し、主制御部２１にキー情報に基づいて処理を実行させることができる。
【０１７１】
ここで、情報機器部１２の待機起動処理は時間がかかるため、情報機器部１２を備えるテレビの場合、ユーザの操作に対する応答が遅くなる可能性がある。
【０１７２】
一方、本実施形態に係るテレビ１によれば、主制御部２１がキー情報を処理可能となったことを通知した時点でキー情報を主制御部２１に送信し、主制御部２１にキー情報に基づいて処理を実行させることができるので、情報機器部１２を備えるテレビ１であっても、情報機器部１２を備えないテレビと同程度の早さで、ユーザの操作に対して応答することができる。
【０１７３】
〔実施形態５〕
本発明のさらに別の実施形態について、図４、図５、および図１２から図１７を参照して説明すれば、以下のとおりである。なお、説明の便宜上、上記実施形態にて説明した部材と同じ機能を有する部材については、同じ符号を付記し、その説明を省略する。
【０１７４】
本実施形態では、記憶部５５に記憶されているスリープ設定が有効である場合、すなわち、初回起動処理が完了した後、情報機器部１２をスリープ状態に移行させるスリープ処理を実行する場合について説明する。なお、スリープ状態とは、情報機器部１２に電力供給部２３から電力が供給され、情報機器部１２の一部が起動している状態である。
【０１７５】
ここで、情報機器部１２のどの部材が起動しているかについては、情報機器部１２をスリープ状態にする目的に応じて変わる。例えば、スリープ状態から復帰するときに、迅速に復帰を行うことを目的とする場合は、処理実行部５３に電力が供給されている必要がある。また、タッチ入力部１７に対するタッチ操作によってスリープ状態から復帰可能な構成とする場合は、少なくとも入力制御部５４に電力が供給されている必要がある。なお、処理実行判定部５２は、スリープ状態から復帰するためのキー情報（起動キー）を受信する部材であるため、スリープ状態であっても電力が供給される。また、電力制御部５１は、スリープ状態において、少なくとも処理実行判定部５２に電力を供給する必要があるため、スリープ状態であっても電力が供給される。
【０１７６】
（主制御部２１における待機起動処理の流れ）
次に、図４および図１２を参照して、主制御部２１における待機起動処理の流れを説明する。なお、実施形態１にて図４を参照して既に説明した内容については、その説明を省略する場合がある。
【０１７７】
処理実行部５３が、スリープ設定が有効であると判定したことにより、処理実行判定部４１が情報機器部１２（処理実行判定部５２）から、操作主体切替要求（状態変更情報）を受信した場合（Ｓ１３でＹＥＳ）、処理実行判定部４１は、記憶部４４に記憶されている操作主体設定（第１の操作主体設定）を無効にする（Ｓ８１）。そして、処理実行判定部４１は、操作主体切替通知を情報機器部１２（処理実行判定部５２）に送信する（Ｓ８２）。なお、ステップＳ８３からステップＳ８５までの処理は、図４のステップＳ１４からステップＳ１６までの処理と同様であるため、ここでの説明を省略する。
【０１７８】
（情報機器部１２における待機起動処理の流れ）
次に、図５および図１３を参照して、情報機器部１２における待機起動処理の流れを説明する。なお、実施形態１にて図５を参照して既に説明した内容については、その説明を省略する場合がある。
【０１７９】
スリープ設定が有効である場合（Ｓ３１でＹＥＳ）、処理実行部５３はスリープ処理を開始する（Ｓ９１）。そして、処理実行部５３は、処理実行判定部５２に指示して、操作主体切替要求を主制御部２１（処理実行判定部４１）に送信させる（Ｓ９２）。
【０１８０】
続いて、処理実行判定部５２は、主制御部２１から操作主体切替通知を受信した場合（Ｓ９３）、記憶部５５に記憶されている操作主体設定（第２の操作主体設定）を有効にする（Ｓ５４）。
【０１８１】
続いて、処理実行部５３は情報機器部１２をスリープ状態に移行させ（Ｓ５５）、スリープ処理および待機起動処理を完了する。
【０１８２】
（テレビ１における待機起動処理）
次に、図１４を参照して、テレビ１における待機起動処理の流れを説明する。なお、図１４は、スリープ設定が有効、すなわち、情報機器部１２がスリープ処理を実行する場合の待機移動処理の流れを示している図である。なお、実施形態１にて図６を参照して説明した内容と同様の部分、具体的には、スリープ設定判定より前の部分については、ここでの説明を省略する。また、図１４における破線の両矢印が示す期間において、主制御部２１および情報機器部１２を起動するための操作があった場合、テレビ１にて、どの部材が処理を実行するかを両矢印の右側に示している。
【０１８３】
処理実行部５３は、初回起動処理が完了すると、情報機器部１２を終了させるための処理を実行するために、記憶部５５を参照して、スリープ設定が有効であるか否かを判定する。図１４の場合、スリープ設定は有効であるので、処理実行部５３はスリープ処理を開始する。続いて、処理実行部５３は、処理実行判定部５２に指示して、情報機器部１２が、主制御部２１に第１の操作主体設定を書き換えさせるための情報である操作主体切替要求を、主制御部２１（処理実行判定部４１）に対して送信させる。
【０１８４】
処理実行判定部４１は、操作主体切替要求を受信すると、記憶部４４に記憶されている操作主体設定（第１の操作主体設定）を書き換える。具体的には、処理実行判定部４１は、記憶部４４に記憶されている第１の操作主体設定を無効にし、主制御部２１を、処理実行部４２が情報機器部１２から送信される実行指示を待って処理を実行する状態とする。そして、第１の操作主体設定を書き換えると、処理実行判定部４１は、主制御部２１が第１の操作主体設定を書き換えたことを情報機器部１２に通知するための情報である、操作主体切替通知を情報機器部１２（処理実行判定部５２）に送信する。
【０１８５】
処理実行判定部５２は、操作主体切替通知を受信すると、記憶部５５に記憶されている操作主体設定（第２の操作主体設定）を書き換える。具体的には、処理実行判定部５２は、記憶部５５に記憶されている第２の操作主体設定を無効にし、情報機器部１２を、処理実行部５３が実行情報に基づいて処理を実行できる状態とする。
【０１８６】
続いて、処理実行部５３は、主制御部２１（処理実行部４２）に対して実行指示であるＯＦＦ要求を送信する。そして、処理実行部５３は、情報機器部１２をスリープ状態へ移行させる。換言すれば、処理実行部５３は、電力制御部５１に指示して、情報機器部１２の特定の部材のみを起動している状態とし、残りの部材への電力供給を停止させる。
【０１８７】
一方、ＯＦＦ要求を受信した処理実行部４２は、シャットダウン処理を開始する。具体的には、処理実行部４２は、バックライト（不図示）を停止して表示部１６に画面を表示しない状態とする。また、処理実行部４２は、報知部（ＬＥＤ、不図示）の発光色を緑色から赤色に変えてもよい。そして、処理実行部４２は、シャットダウン処理を終了させるために、電力停止指示を電力制御部４３に供給する。電力制御部４３は、通電断要求を通電制御部３２に送信する。通電断要求を受信した通電制御部３２は、供給停止指示を電力供給部２３に送信して、主制御部２１への電力供給を停止させる（通電断）。以上で、主制御部２１および情報機器部１２における待機起動処理が完了する。図１４の例では、待機起動処理が完了した時点で、副制御部２２および情報機器部１２は通電状態となっており、主制御部２１は非通電状態となっている。
【０１８８】
なお、副制御部２２がキー情報を保持する場合、および、主制御部２１がキー情報に基づいて処理を実行する場合については、上述しているため、その説明を省略する。一方、主制御部２１が操作主体切替通知を情報機器部１２に送信した後に入力操作が行われた場合、すなわち、情報機器部１２がキー情報に基づいて処理を実行する場合の詳細については後述する。
【０１８９】
（主制御部２１における待機起動処理中の起動処理の流れ）
次に、図１５を参照して、主制御部２１における待機起動処理中の起動処理の流れを説明する。なお、図１５は、ユーザが待機起動処理中、より具体的には、主制御部２１が操作主体切替通知を情報機器部１２に送信した後に、ユーザが入力操作（例えば、リモコンの電源ボタンまたはテレビ１の筐体に設けられた電源ボタンを押下する起動操作）を実行した後の処理を示している。
【０１９０】
まず、処理実行判定部４１が起動キーを受信すると（Ｓ１０１でＹＥＳ）、処理実行判定部４１は、記憶部４４に記憶されている操作主体設定（第１の操作主体設定）が無効であることを確認する（Ｓ１０２）。換言すれば、処理実行判定部４１は、記憶部４４を参照して、第１の操作主体設定が有効であるか、または無効であるかを判定した結果、第１の操作主体設定が無効であると判定する。第１の操作主体設定が無効であることを確認すると、処理実行判定部４１は、処理実行部４２に対して待機指示を供給する。
【０１９１】
処理実行部４２は、情報機器部１２（処理実行部５３）から、実行指示としてＯＮ要求を受信すると（Ｓ１０３でＹＥＳ）、起動処理を開始する（Ｓ１０４）。具体的には、処理実行部４２は、バックライト（不図示）を起動して表示部１６に画面（例えば、起動中画面）を表示する。また、処理実行部４２は、報知部（ＬＥＤ、不図示）の発光色を赤色から緑色に変えてもよい。以上で、主制御部２１における起動処理が完了する。
【０１９２】
（情報機器部１２における待機起動処理中の起動処理の流れ）
次に、図１６を参照して、情報機器部１２における待機起動処理中の起動処理の流れを説明する。なお、図１６は、ユーザが待機起動処理中、より具体的には、主制御部２１が操作主体切替通知を情報機器部１２に送信した後に、ユーザが入力操作（例えば、リモコンの電源ボタンまたはテレビ１の筐体に設けられた電源ボタンを押下する起動操作）を実行した後の処理を示している。
【０１９３】
まず、処理実行判定部５２が起動キーを受信すると（Ｓ１１１でＹＥＳ）、処理実行判定部５２は、記憶部５５に記憶されている操作主体設定（第２の操作主体設定）が有効であることを確認する（Ｓ１１２）。換言すれば、処理実行判定部５２は、記憶部５５を参照して、第２の操作主体設定が有効であるか、または無効であるかを判定した結果、第２の操作主体設定が有効であると判定する。第２の操作主体設定が有効であることを確認すると、処理実行判定部５２は、処理実行部５３に対してスリープ復帰処理を開始するための処理実行指示を供給する。
【０１９４】
なお、処理実行判定部５２は起動キーを受信したとき、処理実行部５３が起動していない場合は、電力制御部５１に指示して、電力供給部２３からの電力を処理実行部５３に供給させ、処理実行部５３を起動させる。
【０１９５】
処理実行指示を受けて、処理実行部５３は起動処理としてスリープ復帰処理を開始する（Ｓ１１３）。具体的には、処理実行部５３はまず、電力制御部５１に指示して、電力供給部２３からの電力を起動していない部材に対して供給させ、各部材を起動させる。そして、実行指示としてＯＮ要求を主制御部２１（処理実行部４２）に対して送信する（Ｓ１１４）。以上で、情報機器部１２における起動処理（スリープ復帰処理）が完了する。
【０１９６】
（テレビ１における待機起動処理中の起動処理）
次に、図１７を参照して、テレビ１における待機起動処理中の起動処理において、スリープ設定が有効、かつ、主制御部２１が操作主体切替通知を情報機器部１２に送信した後に、ユーザが入力操作（例えば、リモコンの電源ボタンまたはテレビ１の筐体に設けられた電源ボタンを押下する起動操作）を実行した後の処理の流れを示している。つまり、図１７の両矢印で示すように、情報機器部１２がキー情報（起動キー）に基づいて処理を実行する場合の例を示している。また、図１７では、初回起動処理を実行するまでの処理の流れは、図１４と同様であるため記載を省略し、ここでの説明も省略する。
【０１９７】
さらに、処理実行部５３が待機起動処理を完了して、情報機器部１２をスリープ状態に移行するまでの処理の流れは、図１４を参照して既に説明しているため、ここでの説明を省略する。
【０１９８】
入力部１３に対してユーザが入力操作（起動操作）を行うと、実行情報生成部３１は、当該起動操作を特定するとともに、通電制御部３２に指示して、電力供給部２３が主制御部２１および情報機器部１２に電力を供給しているか否かを確認させる。図９の場合、主制御部２１は待機起動処理を実行中であり、また、情報機器部１２はスリープ状態であるため、電力供給部２３は、主制御部２１および情報機器部１２に電力を供給している。電力供給部２３が主制御部２１および情報機器部１２に電力を供給していることを確認すると、実行情報生成部３１は、処理実行判定部４１および処理実行判定部５２に実行情報として起動キーを送信する。
【０１９９】
起動キーを受信した処理実行判定部４１および処理実行判定部５２は、操作主体設定が有効であるか、または無効であるかを判定する。具体的には、処理実行判定部４１は、記憶部４４を参照して、第１の操作主体設定が無効であると判定する。そして、処理実行判定部４１は、処理実行部４２に、待機指示を供給する。一方、処理実行判定部５２は、記憶部５５を参照して、第２の操作主体設定が有効であると判定する。そして、処理実行判定部５２は、処理実行部５３に、起動処理（スリープ復帰処理）を実行するための処理実行指示を供給する。
【０２００】
処理実行指示を供給された処理実行部５３は、スリープ復帰処理を開始する。そして、処理実行部５３は、実行指示としてＯＮ要求を主制御部２１（処理実行部４２）に対して送信する。そして、処理実行部５３は、起動処理（スリープ復帰処理）を完了する（起動完了）。
【０２０１】
ＯＮ要求を受信した処理実行部４２は、シャットダウン処理を中止して、起動処理を開始する。具体的には、処理実行部４２は、バックライト（不図示）を起動して表示部１６に画面（例えば、起動中画面）を表示する。また、処理実行部４２は、報知部（ＬＥＤ、不図示）の発光色を赤色から緑色に変えてもよい。そして、処理実行部４２は、起動処理を完了する（起動完了）。
【０２０２】
（実施形態５に係るテレビ１の作用効果）
以上のように、本実施形態に係るテレビ１は、処理実行部５３が、スリープ設定が有効であると判定したとき、処理実行判定部５２に指示して、記憶部４４に記憶されている操作主体設定（第１の操作主体設定）を無効にさせるための情報（操作主体切替要求）を送信させる。また、処理実行判定部５２は、主制御部２１から操作主体切替通知を受信すると、記憶部５５に記憶されている操作主体設定（第２の操作主体設定）を有効にする。すなわち、本実施形態に係るテレビ１は、スリープ設定が有効であると判定したとき、第１の操作主体設定を無効にして、第２の操作主体設定を有効にする。換言すれば、操作主体設定を初期設定と同様にする。
【０２０３】
情報機器部１２における待機起動処理において、初回起動処理が終了した後、スリープ処理を実行する場合は、スリープ処理を実行中に起動キーを受信しても、起動キーに基づいて起動処理を実行することができる。また、スリープ状態に移行した後であっても、起動キーに基づいて起動処理を実行することができる。そのため、本実施形態に係るテレビ１は、スリープ設定が有効であると判定したとき、操作主体設定を初期設定と同様にすることで、操作主体設定を、テレビ１が起動されているときと同じ状態、換言すれば操作主体設定を通常の状態とすることができる。
【０２０４】
〔実施形態６〕
テレビ１におけるテレビ機能部１１の制御ブロック（特に、副制御部２２における実行情報生成部３１および通電制御部３２、並びに、主制御部２１における処理実行判定部４１、処理実行部４２、および電力制御部４３）、および、情報機器部１２の制御ブロック（特に、電力制御部５１、処理実行判定部５２、処理実行部５３、および入力制御部５４）は、集積回路（ＩＣチップ）等に形成された論理回路（ハードウェア）によって実現してもよいし、ＣＰＵ（Central Processing Unit）を用いてソフトウェアによって実現してもよい。
【０２０５】
後者の場合、テレビ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２０６】
〔まとめ〕
本発明の態様１に係る電子機器（テレビ１）は、ユーザによる入力操作に応じた対応処理を実行するための実行指示を受信して上記対応処理を実行する第１の処理装置（主制御部２１）と、上記実行指示を上記第１の処理装置に送信する第２の処理装置（情報機器部１２）とを備える電子機器であって、上記第１の処理装置は、電力供給が開始されたとき、自装置を起動して所定処理を実行した後、自装置をシャットダウン状態にする第１の待機起動処理を実行し、上記第２の処理装置は、電力供給が開始されたとき、自装置を起動して所定処理を実行した後、自装置をシャットダウン状態またはスリープ状態にする第２の待機起動処理を実行し、さらに、上記第１の処理装置は、上記第１の待機起動処理の実行中に、自装置を、上記第２の処理装置から上記実行指示を受信することなく、上記対応処理を実行する状態とする第１の状態制御手段（処理実行判定部４１）を備えている。
【０２０７】
第２の待機起動処理の実行中においては、第２の処理装置はユーザの入力操作に基づいて処理を実行することができず、また、第２の処理装置は第１の処理装置に対して実行指示を送信することができないため、ユーザが電子機器に外部から電力を供給する操作を行った後、直ちに電子機器に対して何らかの操作を行ったとしても、電子機器は処理を実行できない可能性がある。また、電子機器が、待機起動処理が完了するまで行われた操作を記憶する構成であったとしても、操作が行われてから処理が実行されるまでに時間がかかる。
【０２０８】
これに対して、上記の構成によれば、第１の処理装置は、第１の待機起動処理の実行中に、自装置を、第２の処理装置から実行指示を受信することなく対応処理を実行する状態とする。
【０２０９】
よって、第２の処理装置が第２の待機起動処理の実行中であっても、第１の処理装置は、第２の処理装置から実行指示を受信することなく、処理を実行することができるため、待機起動処理を実行中にユーザが何らかの操作を行った場合でも、電子機器は迅速に処理を実行することができる。
【０２１０】
本発明の態様２に係る電子機器は、上記態様１において、上記第１の処理装置および上記第２の処理装置の起動を指示するユーザの入力操作を受けたとき、上記第１の処理装置および上記第２の処理装置に起動処理を実行させるための起動情報を、上記第１の処理装置および上記第２の処理装置に送信する第３の処理装置（副制御部２２）を備え、上記第１の処理装置は、上記第１の状態制御手段によって、自装置が、上記第２の処理装置から上記実行指示を受信することなく、上記対応処理を実行する状態となっている場合、上記起動情報を受信したとき、上記起動処理を上記対応処理として実行してもよい。
【０２１１】
上記の構成によれば、第１の処理装置は、自装置が、第２の処理装置から実行指示を受信することなく、対応処理を実行する状態となっている場合、第３の処理装置から起動情報を受信したとき、起動処理を対応処理として実行する。すなわち、第１の処理装置は、第１の待機起動処理中において、起動情報を受信したとき、起動処理を対応処理として実行する。
【０２１２】
これにより、第２の処理装置が第２の待機起動処理の実行中であっても、第１の処理装置は起動処理を実行することができる。よって、待機起動処理を実行中にユーザが起動処理を行った場合でも、迅速に電子機器を起動することができる。
【０２１３】
本発明の態様３に係る電子機器は、上記態様２において、上記第１の処理装置は、上記起動処理を実行可能となったことを示す起動可能情報を上記第３の処理装置に送信する起動可能通知手段（処理実行判定部４１）を備え、上記第３の処理装置は、上記起動可能情報を受信した後、上記起動情報を上記第１の処理装置へ送信してもよい。
【０２１４】
上記の構成によれば、第３の処理装置は、起動可能情報を受信した後、起動情報を第１の処理装置に送信する。換言すれば、起動可能情報を受信するまで、第３の処理装置は起動情報を保持する。つまり、第１の処理装置において起動処理を実行できない場合、第１の処理装置が起動処理を実行可能な状態となるのを待ってから、第３の処理装置は起動情報を送信する。
【０２１５】
これにより、第１の処理装置が起動処理を実行可能な状態となれば、第３の処理装置は起動情報を第１の処理装置に送信するので、第１の処理装置は、速やかに起動処理を実行することができる。
【０２１６】
本発明の態様４に係る電子機器は、上記態様２または３において、上記第１の処理装置は、自装置に電力が供給されている状態で、かつ、上記第２の処理装置が上記第２の待機起動処理におけるシャットダウン処理を開始後に、上記起動情報を受信したとき、上記第１の処理装置および上記第２の処理装置に対する電力供給を停止することを示すシャットダウン通知を、ユーザに対して行う通知手段（処理実行部４２）と、上記シャットダウン通知を行った後、自装置に対する電力供給を停止させる電力供給停止手段（電力制御部４３）と、をさらに備えてもよい。
【０２１７】
上記の構成によれば、起動情報を受信したタイミングが、第１の処理装置に電力が供給されている状態で、かつ、第２の処理装置がシャットダウン処理の開始後である場合、第１の処理装置は、第１の処理装置および第２の処理装置に対する電力供給を停止することを示すシャットダウン通知をユーザに対して行い、その後自装置に対する電力供給を停止させる。
【０２１８】
ここで、第２の処理装置は、シャットダウン処理の開始後は、起動情報を受信したとしても、シャットダウン処理を中止して起動処理を実行することができない。
【０２１９】
一方で、第１の処理装置は、第１の待機起動処理を実行中に起動情報を受信すると、起動処理を実行する。そのため、第１の処理装置は、起動情報を受信した場合、最終的に起動状態となる。結果として、第１の処理装置のみが起動しているという状態となってしまい、好ましくない。
【０２２０】
この場合、第２の処理装置はシャットダウンする他ないので、第１の処理装置と第２の処理装置との状態を一致させるためには、第１の処理装置をシャットダウンすることが考えられるが、ユーザが起動操作を行ったにもかかわらず、シャットダウンするというユーザの操作とは異なる処理が実行されることとなる。
【０２２１】
これに対して、態様４に係る電子機器は、第１の処理装置および第２の処理装置に対する電力供給を停止することを示すシャットダウン通知をユーザに対して行う。これにより、ユーザにその後第１の処理装置および第２の処理装置がシャットダウンすることを通知するので、最終的にシャットダウンしてもユーザが不審に思うことがなくなる。また、最終的に第１の処理装置および第２の処理装置をシャットダウンするので、２つの処理装置のうち片方のみが起動している状態を防ぐことができる。
【０２２２】
本発明の態様５に係る電子機器は、上記態様２から４のいずれかにおいて、上記第２の処理装置は、自装置を上記スリープ状態とする場合、上記第１の処理装置を、上記第２の処理装置から上記実行指示を受信して、上記対応処理を実行する状態とするための状態変更情報を、上記第１の処理装置に送信する第２の状態制御手段（処理実行判定部５２）をさらに備えてもよい。
【０２２３】
上記の構成によれば、第２の処理装置をスリープ状態とする場合、第２の処理装置は、状態変更情報を送信して、第１の処理装置を、第２の処理装置から実行指示を受信して、対応処理を実行する状態とする。換言すれば、第１の処理装置は、状態変更情報を受信すると、第２の処理装置から実行指示を受信することなく、対応処理を実行しない状態となる。
【０２２４】
第１の処理装置は通常の場合、第２の処理装置から実行指示を受信して、対応処理を実行する。つまり、待機起動処理の実行中における第２の処理装置から実行指示を受信することなく対応処理を実行する状態というのは、通常と異なる状態であるため、なるべく早く通常の状態に戻ることが好ましい。
【０２２５】
ここで、第２の処理装置をスリープ状態とする場合、スリープ状態へ移行するための処理を実行している間、および、スリープ状態へ移行した後においては、第２の処理装置は入力操作に基づいて対応処理を実行することができる状態である。
【０２２６】
よって、第２の処理装置がスリープ状態となる場合に、第２の処理装置は、状態変更情報を送信して、第１の処理装置を、第２の処理装置から実行指示を受信して、対応処理を実行する状態とすることで、電子機器を通常の状態に戻すことができる。
【０２２７】
なお、第２の処理装置をシャットダウン状態とする場合は、第２の処理装置はシャットダウン処理中に起動情報を受信しても、起動処理を実行することができないため、第１の処理装置を、第２の処理装置から実行指示を受信して、対応処理を実行する状態とする必要は無い。換言すれば、第２の処理装置をシャットダウン状態とする場合は、第１の処理装置の状態を変更せず、第１の処理装置を、上記第２の処理装置から上記実行指示を受信することなく、上記対応処理を実行する状態のままとしておく。
【０２２８】
本発明の態様６に係る電子機器は、上記態様５において、上記第１の処理装置は、上記起動情報を受信したとき、自装置が、上記第２の処理装置から上記実行指示を受信することなく、上記対応処理を実行する状態であるか否かを判定する判定手段（処理実行判定部４１）をさらに備えてもよい。
【０２２９】
上記の構成によれば、第１の処理装置は、起動情報を受信したときに、自装置が、第２の処理装置から実行指示を受信することなく、対応処理を実行する状態となっているか否かを判定する。
【０２３０】
第２の処理装置をシャットダウン状態とする場合は、第１の処理装置は、第２の処理装置から実行指示を受信することなく、対応処理を実行する状態となっている。一方、第２の処理装置をスリープ状態とする場合は、第１の処理装置は、状態変更情報を受信して、第２の処理装置から実行指示を受信して、対応処理を実行する状態となっている。
【０２３１】
そのため、第１の処理装置は、起動情報を受信したとき、自装置が、第２の処理装置から実行指示を受信することなく、対応処理を実行する状態となっているか否かを判定することで、第２の処理装置の状態、すなわち、第２の処理装置がシャットダウン状態となる場合であるか、または、スリープ状態となる場合であるかに、自装置が合った状態となっているかを、正確に検出することができる。
【０２３２】
本発明の態様７に係る電子機器は、上記態様６において、上記第１の処理装置は、自装置が、上記第２の処理装置から上記実行指示を受信することなく、上記対応処理を実行する状態であることを示す操作主体設定を記憶する記憶部（４４）をさらに備えてもよい。
【０２３３】
上記の構成によれば、第１の処理装置は、第２の処理装置から実行指示を受信することなく、対応処理を実行する状態であることを示す操作主体設定を、記憶部に記憶している。
【０２３４】
これにより、第１の処理装置は、記憶部に記憶されている操作主体設定を確認するだけで、第２の処理装置から実行指示を受信することなく、対応処理を実行する状態となっているか否かを正しく認識して、起動処理を実行することができる。つまり、記憶部に記憶されている操作主体設定が有効であれば、第１の処理装置は第２の処理装置から実行指示を受信することなく、対応処理を実行する状態であると判定される。一方、操作主体設定が無効であれば、第２の処理装置から実行指示を受信して、対応処理を実行する状態である。なお、記憶部の操作主体設定は、初期値として無効と設定されていてもよい。これは、通常、第１の処理装置はユーザの入力操作に基づいて処理を実行せず、第２の処理装置から送信される実行指示を受信して処理を実行するためである。そして、待機起動処理を実行することを特定したとき、記憶部の操作主体設定は無効から有効に書き換えられてもよい。
【０２３５】
本発明の態様８に係る電子機器は、上記態様１から７のいずれかにおいて、上記第２の処理装置は、上記電子機器から取り外し可能であってもよい。
【０２３６】
上記の構成によれば、第２の処理装置が取り外し可能であるため、第２の処理装置を交換する必要が生じた場合に、容易に交換することが可能となる。なお、交換する必要が生じた場合とは、例えば、第２の処理装置が故障した場合や、改良された第２の処理装置にアップグレードする場合などが考えられる。第２の処理装置を取り外し可能とすることで、電子機器を交換するよりも安価に、第２の処理装置を交換することができる。
【０２３７】
本発明の態様９に係る電子機器の制御方法は、ユーザによる入力操作に応じた対応処理を実行するための実行指示を受信して上記対応処理を実行する第１の処理装置と、上記実行指示を上記第１の処理装置に送信する第２の処理装置とを備える電子機器の制御方法であって、上記第１の処理装置は、電力供給が開始されたとき、自装置を起動して所定処理を実行した後、自装置をシャットダウン状態にする第１の待機起動処理ステップと、上記第２の処理装置は、電力供給が開始されたとき、自装置を起動して所定処理を実行した後、自装置をシャットダウン状態またはスリープ状態にする第２の待機起動処理ステップと、を含み、さらに、上記第１の処理装置は、上記第１の待機起動処理ステップ中に、自装置を、上記第２の処理装置から上記実行指示を受信することなく、上記対応処理を実行する状態とする第１の状態制御ステップを含む。
【０２３８】
態様９に係る作用効果は、上記態様１に係る作用効果と同様である。
【０２３９】
本発明の各態様に係る電子機器は、コンピュータによって実現してもよく、この場合には、コンピュータを上記電子機器が備える各手段として動作させることにより上記電子機器をコンピュータにて実現させる電子機器の制御プログラム、およびそれを記録したコンピュータ読み取り可能な記録媒体も、本発明の範疇に入る。
【０２４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２４１】
本発明は、ユーザによる入力操作に基づいて処理を実行する電子機器に利用することができ、特に、従来のテレビ機能に加えて、拡張機能を有するテレビである、スマートテレビに好適である。
【符号の説明】
【０２４２】
１  テレビ（電子機器）
１２  情報機器部（第２の処理装置）
２１  主制御部（第１の処理装置）
２２  副制御部（第３の処理装置）
４１  処理実行判定部（第１の状態制御手段、起動可能通知手段、判定手段）
４２  処理実行部（通知手段）
４３  電力制御部（電力供給停止手段）
４４  記憶部
５２  処理実行判定部（第２の状態制御手段）
【図１】
2015191575.tif 000003
【図２】
2015191575.tif 000004
【図３】
2015191575.tif 000005
【図４】
2015191575.tif 000006
【図５】
2015191575.tif 000007
【図６】
2015191575.tif 000008
【図７】
2015191575.tif 000009
【図８】
2015191575.tif 000010
【図９】
2015191575.tif 000011
【図１０】
2015191575.tif 000012
【図１１】
2015191575.tif 000013
【図１２】
2015191575.tif 000014
【図１３】
2015191575.tif 000015
【図１４】
2015191575.tif 000016
【図１５】
2015191575.tif 000017
【図１６】
2015191575.tif 000018
【図１７】
2015191575.tif 000019